(57)【要約】      （修正有）【課題】優れたクリック感を実現しうる湯水混合栓の提供。【解決手段】湯水混合栓は、ハウジング４２と、可動弁体と、固定弁体と、レバー軸線Ｚ１を中心とした前後回動が可能なレバー４６と、レバーに設けられたクリック係合部５６と、ハウジング４２の内面に設けられた係合当接部Ｅ１と、レバー４６を前後回動可能に支持する回動体と、を備えている。レバー４６の左右回動により、湯水混合比率の調節が可能とされている。レバー４６の前後回動により、吐出量の調節が可能とされている。レバー４６の前後回動に伴い、クリック係合部５６がレバー軸線Ｚ１を中心として回動し、このクリック係合部５６の回動により、クリック係合部５６と係合当接部Ｅ１との間にクリック係合が生じる。このクリック係合により、前後クリック感が生じうる。【選択図】図１１
2014066327.tif 000002
【特許請求の範囲】
【請求項１】
混合栓本体と、
上記混合栓本体の内部に設けられているハウジングと、
上記ハウジングの内部に設けられ、湯用弁孔、水用弁孔及び吐出弁孔を有する固定弁体と、
上記固定弁体の上面に摺動可能に配置されており、流路形成凹部及びレバー係合孔を有する可動弁体と、
レバー軸線を中心とした前後回動が可能なレバーと、
上記レバーに設けられたクリック係合部と、
上記ハウジングの内面に設けられた係合当接部と、
上記レバーを前後回動可能に支持する回動体と、
を備えており、
上記レバーの左右回動により、上記可動弁体が上記固定弁体に対して旋回し、この可動弁体の旋回により、湯水混合比率の調節が可能とされており、
上記レバーの前後回動により、上記可動弁体が上記固定弁体に対して移動し、この移動により吐出量の調節が可能とされており、
上記レバーの上記前後回動に伴い、上記クリック係合部が上記レバー軸線を中心として回動し、
このクリック係合部の回動により、上記クリック係合部と上記係合当接部との間にクリック係合が生じ、
このクリック係合により前後クリック感が生じうる湯水混合栓。
【請求項２】
上記クリック係合部が弾性変形部を有しており、
上記クリック係合において、上記弾性変形部に、弾性変形及び変形回復が生じる請求項１に記載の湯水混合栓。
【請求項３】
上記弾性変形が曲げ変形を含む請求項２に記載の湯水混合栓。
【請求項４】
上記クリック係合部が、上記レバーとは別部材である請求項１から３のいずれかに記載の湯水混合栓。
【請求項５】
上記クリック係合部が、上記レバーの前面及び／又は後面に配置されている請求項１から４のいずれかに記載の湯水混合栓。
【請求項６】
上記クリック係合部が出退機構を有しており、
上記クリック係合において、上記出退機構に突出及び退行が生じる請求項１から５のいずれかに記載の湯水混合栓。
【発明の詳細な説明】
【技術分野】
【０００１】
本発明は、湯水混合栓に関する。
【背景技術】
【０００２】
ハンドル操作により吐出量及び湯水の混合割合を調節できる水栓が知られている。シングルレバー式の湯水混合栓では、レバーハンドルの左右回動により湯と水との切り替え及び混合比の調節が可能であり、レバーハンドルの前後回動（上下回動）により吐出量の調節が可能である。
【０００３】
この湯水混合栓において、クリック機構を有するものがある。特開２００４−０１９７１４号公報は、温度調節方向においてレバー軸と一体回転する回転ガイドと、可動弁体の駆動部とを有するシングルレバー水栓を開示する。この水栓では、上記回転ガイドと上記駆動部との間にクリック機構が設けられている。
【先行技術文献】
【特許文献】
【０００４】
【特許文献１】特開２００４−０１９７１４号公報
【発明の概要】
【発明が解決しようとする課題】
【０００５】
クリック感は、使用者に様々な情報を提供しうる。クリック感を多様に設定することで、より利便性の高い湯水混合栓が実現しうる。また、クリック感が使用者に伝達されやすいのが好ましい。特開２００４−０１９７１４号公報に記載のクリック機構には、改善の余地があることが判明した。
【０００６】
本発明の目的は、優れたクリック感を実現しうる湯水混合栓を提供することにある。
【課題を解決するための手段】
【０００７】
本発明に係る湯水混合栓の好ましい態様は、混合栓本体と、上記混合栓本体の内部に設けられているハウジングと、上記ハウジングの内部に設けられ、湯用弁孔、水用弁孔及び吐出弁孔を有する固定弁体と、上記固定弁体の上面に摺動可能に配置されており、流路形成凹部及びレバー係合孔を有する可動弁体と、レバー軸線を中心とした前後回動が可能なレバーと、上記レバーに設けられたクリック係合部と、上記ハウジングの内面に設けられた係合当接部と、上記レバーを前後回動可能に支持する回動体と、を備えている。上記レバーの左右回動により、上記可動弁体が上記固定弁体に対して旋回し、この可動弁体の旋回により、湯水混合比率の調節が可能とされている。上記レバーの前後回動により、上記可動弁体が上記固定弁体に対して移動し、この移動により吐出量の調節が可能とされている。上記レバーの上記前後回動に伴い、上記クリック係合部が上記レバー軸線を中心として回動し、このクリック係合部の回動により、上記クリック係合部と上記係合当接部との間にクリック係合が生じる。このクリック係合により前後クリック感が生じうる。
【０００８】
好ましくは、上記クリック係合部が弾性変形部を有している。好ましくは、上記クリック係合において、上記弾性変形部に、弾性変形及び変形回復が生じる。
【０００９】
好ましくは、上記弾性変形が曲げ変形を含む。
【００１０】
好ましくは、上記クリック係合部が、上記レバーとは別部材である。
【００１１】
好ましくは、上記クリック係合部が、上記レバーの前面及び／又は後面に配置されている。
【００１２】
好ましくは、上記クリック係合部が出退機構を有している。好ましくは、上記クリック係合において、上記出退機構に突出及び退行が生じる。
【発明の効果】
【００１３】
優れたクリック感が実現されうる。
【図面の簡単な説明】
【００１４】
【図１】図１は、本発明の一実施形態に係る湯水混合栓の斜視図である。
【図２】図２は、図１の湯水混合栓の一部が示された正面図である。
【図３】図３は、図１の湯水混合栓の一部が示された側面図である。
【図４】図４は、図２のＦ４−Ｆ４線に沿った断面図である。
【図５】図５は、レバー組立体の斜視図である。
【図６】図６は、レバー軸に垂直な平面によるレバー組立体の断面図である。
【図７】図７は、レバー組立体の断面図であり、レバー軸の中心線に沿った縦方向断面図である。
【図８】図８は、レバー組立体の分解斜視図である。
【図９】図９（ａ）から（ｈ）は軸保持体を示す。図９（ａ）は平面図であり、図９（ｂ）は内側正面図であり、図９（ｃ）は側面図であり、図９（ｄ）は外側正面図であり、図９（ｅ）は底面図であり、図９（ｆ）は図９（ｄ）のｆ−ｆ線に沿った断面図であり、図９（ｇ）は図９（ｄ）のｇ−ｇ線に沿った断面図であり、図９（ｈ）は斜視図である。
【図１０】図１０（ａ）は、回動体の平面図である。図１０（ｂ）及び図１０（ｃ）は、回動体の側面図である。図１０（ｄ）は、図１０（ｃ）のｄ−ｄ線に沿った断面図である。図１０（ｅ）は、回動体の底面図である。
【図１１】図１１は、クリック係合部の近傍を示す拡大断面図である。
【図１２】図１２は、ハウジングの平面図である。
【図１３】図１３は、ハウジングの断面図である。
【図１４】図１４（ａ）は、クリック係合部の斜視図であり、図１４（ｂ）は、クリック係合部の側面図であり、図１４（ｃ）は、クリック係合部の断面図である。
【図１５】図１５は、上側部材の平面図である。
【図１６】図１６は、レバー軸線Ｚ１を含む位置におけるレバー組立体の断面図である。
【図１７】図１７は、図１６と同じ断面図であり、左右クリック用球体と凸部とが係合した状態を示す。
【図１８】図１８は、図１６と同じ断面図であり、左右クリック用球体と凸部との係合が解除された直後の状態を示す。
【図１９】図１９は、図１６と同じ断面図であり、左限界までレバーを左右回動した状態を示す。
【図２０】図２０は、レバーの左右回動と吐水使用との関係について説明するための図である。
【図２１】図２１は、レバーの左右回動と吐水使用との関係について説明するための図である。図２１は、図２０とは異なる実施形態を示す。
【図２２】図２２（ａ）は、固定弁体の平面図であり、図２２（ｂ）は、固定弁体の底面図であり、図２２（ｃ）は、図２２（ａ）のｃ−ｃ線に沿った断面図であり、図２２（ｄ）は、図２２（ａ）のｄ−ｄ線に沿った断面図であり、図２２（ｅ）は、図２２（ａ）のｅ−ｅ線に沿った断面図であり、図２２（ｆ）は、図２２（ａ）のｆ−ｆ線に沿った断面図であり、図２２（ｇ）は、図２２（ａ）のｇ−ｇ線に沿った断面図である。
【図２３】図２３（ａ）は、下側部材８８の平面図であり、図２３（ｂ）は、下側部材８８の底面図であり、図２３（ｃ）は、図２３（ｂ）のｃ−ｃ線に沿った断面図であり、図２３（ｄ）は、図２３（ｂ）のｄ−ｄ線に沿った断面図である。
【図２４】図２４（ａ）から（ｆ）は、固定弁体の上面開口線と可動弁体の下面開口線との重なり状態を示す図である。図２４（ａ）では、レバー左右位置が左限界位置にあり且つレバー前後位置が止水位置にある。図２４（ｂ）では、レバー左右位置が左限界位置にあり且つレバー前後位置が最大吐出位置にある。図２４（ｃ）では、レバー左右位置が中心周位置にあり且つレバー前後位置が止水位置にある。図２４（ｄ）では、レバー左右位置が中心周位置にあり且つレバー前後位置が最大吐出位置にある。図２４（ｅ）では、レバー左右位置が右限界位置にあり且つレバー前後位置が止水位置にある。図２４（ｆ）では、レバー左右位置が右限界位置にあり且つレバー前後位置が最大吐出位置にある。
【図２５】図２５（ａ）から（ｆ）は、図２４（ａ）から（ｆ）と同じ図である。
【図２６】図２６（ａ）から（ｄ）は、可動弁体（下側部材）の下面開口線の変形例を示す平面図である。
【図２７】図２７（ａ）は、上側部材の上面に沿ったレバー組立体の断面図である。図２７（ａ）では、レバー前後位置が最大吐出位置にある。図２７（ｂ）は、上側部材の上面に沿ったレバー組立体の断面図である。図２７（ｂ）では、レバー前後位置が止水位置にある。
【図２８】図２８は、第２実施形態に係るレバー組立体の断面図である。
【図２９】図２９は、第３実施形態に係るレバー組立体の断面図である。
【図３０】図３０は、第４実施形態に係るレバー組立体の断面図である。
【図３１】図３１は、第５実施形態に係るレバー組立体の断面図である。
【図３２】図３２は、第６実施形態に係るレバー組立体の断面図である。
【図３３】図３３（ａ）及び図３３（ｂ）は、係合当接部の変形例を示す断面図である。
【発明を実施するための形態】
【００１５】
以下、適宜図面が参照されつつ、好ましい実施形態に基づいて本発明が詳細に説明される。
【００１６】
図１は、本発明の一実施形態に係る湯水混合栓１０の斜視図である。図２は、湯水混合栓１０の上部の正面図である。図３は、湯水混合栓１０の上部の側面図である。
【００１７】
湯水混合栓１０は、本体１２、ハンドル１４、吐出部１６、湯導入管１８、水導入管２０及び吐出管２２を有する。本体１２の一部は、外カバー１３で覆われている。吐出部１６は、ヘッド２４を有する。ヘッド２４では、シャワー吐出と通常吐出との切り替えが可能である。湯水混合栓１０は、例えば、キッチン、洗面台等で使用される。
【００１８】
ハンドル１４の上下動により、吐出量が調節される（図３の矢印Ｍ参照）。本実施形態では、ハンドル１４を上側に動かすほど、吐出量が増加する。逆に、ハンドル１４を下側に動かすほど吐出量が増加してもよい。また、ハンドル１４の旋回により、湯と水との混合割合が変化する。ハンドル１４の旋回により、吐水温度の調節が可能である。
【００１９】
図４は、図２のＦ４−Ｆ４線に沿った断面図である。湯水混合栓１０は、その内部に、レバー組立体４０を有する。レバー組立体４０は、外カバー１３の内部に配置されている。ハンドル１４は、ネジ３０によって、レバー４６に固定されている。
【００２０】
なお図４では、吐出部１６の記載が省略されている。
【００２１】
図５は、レバー組立体４０の斜視図である。図６は、レバー軸線Ｚ１に対して垂直な断面に沿ったレバー組立体４０の断面図である。図７は、レバー軸線Ｚ１に沿ったレバー組立体４０の断面図である。図８は、レバー組立体４０の分解斜視図である。レバー組立体４０は、単独で取り扱い可能である。湯水混合栓１０において、レバー組立体４０は交換可能である。
【００２２】
図８等が示すように、レバー組立体４０は、ハウジング４２、回動体４４、レバー４６、レバー軸４８、左右クリック用弾性部材５０、左右クリック用球体５２、軸保持体５４、クリック係合部５６、可動弁体６０、固定弁体６２、パッキン６４、パッキン６５、Ｏリング６６及びベース体６８を有する。球体５２は、左右クリック用当接部材の一例である。左右クリック用当接部材は球体に限定されない。円滑なレバー操作及びクリック感の感触の観点から、左右クリック用当接部材は球体が好ましい。
【００２３】
図４が示すように、外カバー１３は、本体１２に固定されている。外カバー１３は、金属製である。外カバー１３は、ハウジング４２を覆っている。外カバー１３は、ハウジング４２の変形を防止している。ハウジング４２の変形により、係合当接部Ｅ１（後述）の位置が変動しうる。ハウジング４２の変形が抑制されることで、前後クリック機構の精度及び耐久性が向上している。
【００２４】
レバー軸４８の中心線が、レバー軸線Ｚ１である。レバー４６の前後回動は、レバー軸線Ｚ１を中心とした回転である。
【００２５】
弾性部材５０と球体５２とにより、左右クリック用の出退機構が構成されている。
【００２６】
ベース体６８は、湯導入口７０、水導入口７２及び吐出口７４を有する。ベース体６８の下部には、これら湯導入口７０、水導入口７２及び吐出口７４のそれぞれに対応した開口が設けられており、これらの開口のそれぞれに、湯導入管１８、水導入管２０及び吐出管２２が接続されている。
【００２７】
固定弁体６２は、ベース体６８の上側に固定される。ベース体６８には、固定弁体６２を固定するための係合凸部７６と、ハウジング４２を固定するための係合凸部７７とが設けられている。固定弁体６２には、係合凸部７６と係合する係合凹部７８が設けられている。
【００２８】
固定弁体６２は、湯用弁孔８０、水用弁孔８２及び混合水用弁孔８４を有する。湯用弁孔８０は、ベース体６８の湯導入口７０に接続されている。パッキン６４により、この接続の水密状態が保持されている。水用弁孔８２は、ベース体６８の水導入口７２に接続されている。パッキン６４により、この接続の水密状態が保持されている。混合水用弁孔８４は、ベース体６８の吐出口７４に接続されている。パッキン６５により、この接続の水密状態が保持されている。
【００２９】
可動弁体６０は、上側部材８６と、下側部材８８とを有する。上側部材８６は、下側部材８８に固定されている。この固定は、凸部９０と凹部９２との係合によって達成されている。本実施形態では、上側部材８６と下側部材８８とが互いに別部材である。別部材とすることで、上側部材８６と下側部材８８とのそれぞれにおいて、最適な材質及び製法が選択されうる。可動弁体６０は全体として一体成形されていてもよい。
【００３０】
図８では示されていないが、下側部材８８の下面には、流路形成凹部９４が設けられている（図６及び図７参照）。なお、下側部材８８の上面には、レバー４６の下端９５との干渉を避けるための凹部９６が設けられている（図８参照）。
【００３１】
固定弁体６２の上面には、平滑面ＰＬ１が設けられている（図８参照）。上記孔８２、８４及び８０が存在していない部分が、平滑面ＰＬ１である。一方、下側部材８８（可動弁体６０）の下面には、平滑面ＰＬ２が設けられている。流路形成凹部９４が形成されていない部分に、平滑面ＰＬ２が設けられている。平滑面ＰＬ１と平滑面ＰＬ２との面接触により、水密状態が確保されている。
【００３２】
なお、図４及び図６では、レバー軸４８及び弾性部材５０の記載が省略されている。
【００３３】
上側部材８６の上面には、レバー４６の下端９５と係合するレバー係合孔９８が設けられている。レバー４６の下端９５は、このレバー係合孔９８に挿入されている。レバー４６の動きに連動して、可動弁体６０が固定弁体６２の上を摺動する。
【００３４】
なお、レバー４６とレバー係合孔９８との係合は、直接的であってもよいし、間接的であってもよい。例えば、レバー４６とレバー係合孔９８との間に他の部材が介在していてもよい。
【００３５】
上側部材８６の上面には、回動体４４の裏面と係合しうる係合凸部９９が設けられている。
【００３６】
レバー４６は、軸孔１００を有する。この軸孔１００に、レバー軸４８が挿通されている。レバー軸４８はパイプ状であり、中空部を有する。このレバー軸４８の内部に、左右クリック用弾性部材５０が挿通されている。弾性部材５０はコイルバネである。レバー軸４８の長手方向長さと、弾性部材５０の長手方向長さＬ１とは、略同一である。レバー軸４８の一端に、左右クリック用球体５２が配置されている。レバー軸４８の中空部の開口部に、球体５２が配置されている。この球体５２は、弾性部材５０の一端に位置する。
【００３７】
回動体４４は、基部１０２と上部１０４とを有する（図８参照）。上部１０４は、レバー挿入孔１０６と、軸孔１０８とを有する。基部１０２は、可動弁体６０（の上側部材８６）に、スライド可能に取り付けられている。
【００３８】
上部１０４は、軸保持体５４をスライド挿入するための挿入部１１２と、スライド溝１１３とを有する。挿入部１１２は、上部１０４の側面に設けられている。
【００３９】
レバー４６がレバー挿入孔１０６に挿入されると、このレバー４６の軸孔１００と、回動体４４の軸孔１０８とが同軸で配置される。これら軸孔１００及び軸孔１０８に、レバー軸４８が挿入される。更にこのレバー軸の内部に、弾性部材５０が挿入される。レバー軸４８の挿入により、レバー４６が、回動可能な状態で、回動体４４に固定される。レバー挿入孔１０６の寸法は、レバー４６の回動（前後回動）を許容しうるように設定されている。なお本願では、レバー軸線Ｚ１（レバー軸４８）を回転軸とするレバー４６の回動が、「前後回動」とも称される。
【００４０】
図８が示すように、ハウジング４２は、小径円筒部１２０と、大径円筒部１２２と、連結部１２４とを有する。連結部１２４は、ハウジング４２の半径方向に延在している。小径円筒部１２０は、上方開口１２６を有する。大径円筒部１２２は、下方開口１２８を有する。
【００４１】
大径円筒部１２２は、係合孔１３０を有する。この係合孔１３０が、ベース体６８の係合凸部７７と係合している。この係合により、ハウジング４２は、ベース体６８に固定されている。
【００４２】
回動体４４の上部１０４の円周面部の外径は、小径円筒部１２０の内径に略等しい。回動体４４の上部１０４は、小径円筒部１２０に回転可能な状態で保持されている。この回転では、上部１０４の外周面１０５と、小径円筒部１２０の内周面１２１とが摺動する。なお、軸保持体５４が挿入部１１２に嵌められると、この軸保持体５４の外面は、上部１０４の円周面部と略同一の円周面を形成する。よって軸保持体５４は、回動体４４の回転を阻害しない。
【００４３】
大径円筒部１２２は、回動体４４の基部１０２、可動弁体６０及び固定弁体６２を収容している。
【００４４】
図９（ａ）から（ｈ）は、軸保持体５４を示す。図９（ａ）は、上面図である。図９（ｂ）は、内側から見た平面図である。図９（ｃ）は、側面図である。図９（ｄ）は、外側から見た平面図である。図９（ｅ）は、底面図である。図９（ｆ）は、図９（ｄ）のｆ−ｆ線に沿った断面図である。図９（ｇ）は、図９（ｄ）のｇ−ｇ線に沿った断面図である。図９（ｈ）は斜視図である。
【００４５】
軸保持体５４は、レバー軸保持部１３４、球保持部１３６、レール１３８、球突出用開口１４０、及び切り欠き１４２を有する。レール１３８がスライド溝１１３に挿入されることで、軸保持体５４が回動体４４の挿入部１１２に取り付けられる。軸保持体５４が挿入部１１２に取り付けられた状態が、取付状態とも称される。この取付状態において、レバー軸保持部１３４は、レバー軸４８の一端部を保持する。なおレバー軸４８の他端部は、回動体４４（上部１０４）の内面に設けられた凹部１０７（図７参照）に挿入されつつ保持されている。この取付状態において、球保持部１３６は、球体５２を保持する。球体５２は、凸部１７０（後述）との係合の有無に関わらず、弾性部材５０によって常に付勢されている。球体５２は、弾性部材５０によって外側に押圧されている。球体５２は、弾性部材５０によって球保持部１３６に押しつけられている。図９（ｆ）及び図９（ｇ）が示すように、球体５２の一部は、開口１４０から突出している。この突出が、左右クリック感の発現を可能とする。開口１４０の直径は、球体５２よりも小さくされる。また、開口１４０の直径は、左右クリック感の発現が可能となるような球体５２の突出量を考慮して、設定される。
【００４６】
軸保持体５４は用いられなくても良い。軸保持体５４に相当する部分が、回動体４４の一部であってもよい。また、軸保持体５４が２つであってもよい。例えば、レバー軸４８の両端部が軸保持体５４によって保持されてもよい。本実施形態では、軸保持体５４が１つとされることで、部品点数が抑制されている。また、軸保持体５４を設けることで、回動体４４へのレバー４６の組み付けが容易となる。この組み付けは、次の工程を含む。
（工程ａ）：弾性部材５０が挿入されたレバー軸４８を軸孔１００及び軸孔１０８に挿入する。又は、レバー軸４８を軸孔１００及び軸孔１０８に挿入し、このレバー軸４８に弾性部材５０を挿入する。
（工程ｂ）：上記工程ａの後、レバー軸４８（弾性部材５０）の他端部を凹部１０７に挿入する。
（工程ｃ）：上記工程ｂの後、球体５２を、弾性部材５０の一端に配置し、この状態で、軸保持体５４を挿入部１１２に挿入する。
【００４７】
上記工程ｃにより、レバー軸４８の一端部が、レバー軸保持部１３４によって保持される。上記工程ｃにおける球体５２の配置では、例えばグリースを用いて、球体５２が、弾性部材５０の一端に仮止めされる。
【００４８】
この組み付けでは、弾性部材５０の一端に直接球体５２を配置することができる。 軸保持体５４が用いられることで、組立の容易性が達成されている。
【００４９】
前述したように、軸保持体５４は切り欠き１４２を有する。この切り欠き１４２により、上記工程ｃにおける球体５２の脱落が抑制される。即ち、弾性部材５０の一端への球体５２の配置が、工程ｃにおいて維持されやすい。よって、組立の容易性が更に向上する。
【００５０】
図１０（ａ）は、回動体４４の平面図である。図１０（ｂ）は、回動体４４の側面図である。図１０（ｃ）は、回動体４４の側面図である。図１０（ｂ）と図１０（ｃ）とでは、視点が９０度相違する。図１０（ｄ）は、図１０（ｃ）のｄ−ｄ線に沿った断面図である。図１０（ｅ）は、回動体４４の底面図である
【００５１】
前述の通り、回動体４４は凹部１０７と軸孔１０８とを有する。凹部１０７と軸孔１０８とは同軸である。凹部１０７及び軸孔１０８の中心軸は、レバー軸線Ｚ１である。凹部１０７及び軸孔１０８が、レバー軸４８を保持している。
【００５２】
回動体４４は、クリック係合部５６を挿通させるためのクリック用開口１１５を有する（図１０（ｄ）及び図８参照）。クリック用開口１１５の寸法は、クリック係合部５６の回動を阻害しないように設定されている。
【００５３】
図１１は、レバー組立体４０の断面図である。図１１は、クリック係合部５６の近傍の拡大図である。クリック係合部５６は、レバー４６の後面４７（図８参照）に配置されている。クリック係合部５６は、レバー４６の後側に突出している。後面４７には、クリック係合部５６をはめ込むための凹部４９が設けられている。この凹部４９は、スライド溝５１を有する（図１１参照）。このスライド溝５１に、クリック係合部５６がスライド挿入される。後述するように、クリック係合部５６は、レバー４６の前面に配置されてもよい。クリック係合部５６は、レバー４６の前側に突出していてもよい。
【００５４】
本実施形態では、クリック係合部５６は、レバー４６とは別部材である。クリック係合部５６は単独で成形されるため、複雑な形状であっても比較的容易に製造することができる。クリック係合部５６は、レバー４６に着脱可能に取り付けられている。よって、クリック係合部５６を装着することで前後クリック感を生じさせることができ、また、クリック係合部５６を取り外すことにより、前後クリック感を無くすこともできる。
【００５５】
一方、クリック係合部５６をレバー４６に一体成形することもできる。この場合、部品点数が減少し、組み立て作業の省略が可能である。
【００５６】
図１１が示すように、ハウジング４２の内面には、係合当接部Ｅ１が設けられている。係合当接部Ｅ１は、クリック係合部５６と係合しうる位置に設けられている。本実施形態の係合当接部Ｅ１は、凸部である。係合当接部Ｅ１は、例えば凹部であってもよい。クリック係合部５６と係合当接部Ｅ１との係合により、前後クリック感が生じる。レバー４６の前後回動によって、前後クリック感が生じる。
【００５７】
図１２は、ハウジング４２の平面図である。図１３は、ハウジング４２の断面図である。図１２が示すように、係合当接部Ｅ１は、周方向の所定範囲に設けられている。本実施形態では、係合当接部Ｅ１は、角度θａの範囲に設けられている。この角度θａの範囲において、前後クリック感が生じる。係合当接部Ｅ１の周方向位置により、前後クリック感が生じる位置が設定されうる。角度θａにより、前後クリック感が生じる角度範囲が設定されうる。
【００５８】
前後クリック感が生じる左右回動範囲は限定されない。好ましい実施形態の一例は、湯が吐出される角度範囲ＲＴ２（後述）において前後クリック感が生じ、水のみが吐出される角度範囲ＲＴ１（後述）において前後クリック感が生じない構成である。この場合、角度範囲ＲＴ２の角度θ２（図２１参照）と角度θａとを一致させるのが好ましい。適切な角度範囲ＲＴ２を確保する観点からは、角度θａは、３０°以上が好ましく、３５°以上がより好ましく、４０°以上が更に好ましい。適切な角度範囲ＲＴ１をも同時に確保する観点からは、角度θａが過大であるのは好ましくない。この観点から、角度θａは、８５°以下が好ましく、８０°以下がより好ましく、７５°以下が更に好ましい。
【００５９】
なお、図６は、係合当接部Ｅ１が存在しない位置での断面図である。よって図６には係合当接部Ｅ１が図示されていない。図６では、ハンドル１４の左右方向位置が、前後クリック感が生じない位置にある。
【００６０】
図１４（ａ）は、クリック係合部５６の斜視図である。図１４（ｂ）は、クリック係合部５６の側面図である。図１４（ｃ）は、クリック係合部５６の断面図である。
【００６１】
クリック係合部５６は、ベース部５６ａと、主部５６ｂと、凸部５６ｃとを有する。本実施形態では、クリック係合部５６は、複数の凸部５６ｃを有する。クリック係合部５６は、５つの凸部５６ｃを有する。
【００６２】
ベース部５６ａは、クリック係合部５６をレバー４６に固定する役割を果たす。ベース部５６ａは、レバー４６の凹部４９にはめ込まれる（図８参照）。ベース部５６ａの両縁部は、スライド溝５１に挿入される（図１１参照）。ベース部５６ａは、一定の曲率を有する板状部材である。ベース部５６ａは、レバー軸線Ｚ１を中心とする円に沿った形状である（図１１参照）。
【００６３】
クリック係合部５６は、中空部ＨＬを有する（図１４（ｃ）参照）。中空部ＨＬは、ベース部５６ａの底面に開口５６ｔを形成している。主部５６ｂの内部は、中空部ＨＬである。中空部ＨＬは、一部の凸部５６ｃにも及んでいる。すなわち、クリック係合部５６は、中空凸部５６ｈを有する。本実施形態では、５つの凸部５６ｃのうちの３つが、中空凸部５６ｈである。
【００６４】
図１５は、上側部材８６の平面図である。上側部材８６の上面には、長孔状等の多数の凹部１６６が設けられている。これらの凹部１６６は、可動弁体６０の軽量化に寄与する。
【００６５】
図１６、１７、１８及び１９は、レバー軸線Ｚ１に沿ったレバー組立体４０の断面図である。小径円筒部１２０の内面１２１には、クリック発現用の凸部１７０が設けられている。左右クリック用球体５２は、弾性部材５０によって、常に、内面１２１側に付勢されている。
【００６６】
［レバーの前後回動に伴う各部の動き］
前述したように、吐出量の調節では、ハンドル１４が上下に動かされる（図３の矢印Ｍ参照）。このハンドル１４の動きにより、レバー４６の前後回動が生じる。この前後回動に連動して、レバー４６の下端９５が回動する。この下端９５とレバー係合孔９８との係合により、可動弁体６０が動かされる。可動弁体６０は、固定弁体６２の上を直線に沿って摺動する。この摺動の間、平滑面ＰＬ１と平滑面ＰＬ２との面接触は維持される。同時に可動弁体６０は、回動体４４に対しても摺動する。
【００６７】
可動弁体６０の移動方向は、回動体４４によって規制されている。この規制により、レバーの前後回動のみによっては湯水の混合割合が変化しない。本実施形態では、複数の移動方向規制機構が採用されている。移動方向規制機構は、回動体４４と可動弁体６０（上側部材８６）との係合である。
【００６８】
この移動方向規制機構には、回動体４４が関与している。図１０（ｅ）が示すように、回動体４４（の基部１０２）の裏面には、スライド溝Ｇｖが設けられている。このスライド溝Ｇｖは、底面Ｇｖ１と、２つの側面Ｇｖ２とを有している。このスライド溝Ｇｖに、係合凸部９９が嵌められている。
【００６９】
第１の移動方向規制機構は、上側部材８６の係合凸部９９と、回動体４４のスライド溝Ｇｖとの係合である。より詳細には、係合凸部９９の側面１７４（図１５参照）が、スライド溝Ｇｖの側面Ｇｖ２と摺動する。このスライドの方向は、係合凸部９９の側面１７４に沿った直線方向Ｄ１である。
【００７０】
第２の移動方向規制機構は、上側部材８６の側面１８０（図１５及び図８参照）と、回動体４４の基部１０２に設けられた下方凸部１８２（図１０（ｅ）参照）との係合である。この下方凸部１８２は、側面１８３を有している。この側面１８３が、上側部材８６の側面１８０と摺動する。この係合による移動方向も、前述した直線方向Ｄ１である。側面１８０と、前述した側面１７４とは、平行である。
【００７１】
このように、同一の移動方向Ｄ１に対して複数の移動方向規制機構が設けられることで、移動方向がより確実に制御されている。
【００７２】
［レバーの左右回動に伴う各部の動き］
前述したように、温度の調節では、ハンドル１４が左右回動される。このハンドル１４の左右回動により、レバー４６も左右回動する。レバー４６の左右回動により、可動弁体６０が回転する。この回転は、レバー４６の下端９５とレバー係合孔９８との係合により達成される。可動弁体６０は、固定弁体６２に対して回転する。この回転中において、平滑面ＰＬ１と平滑面ＰＬ２との面接触は維持される。この回転により、湯と水との混合割合が変化し、吐水の温度が調節される。このように、湯水混合栓１０は、レバー４６の左右回動によって吐水温度を調節しうる温度調節機構を有している。
【００７３】
このようなレバー組立体４０は、左右クリック機構と、前後クリック機構とを有する。左右クリック機構とは、レバー４６の左右回動に伴うクリック感を発現する機構である。前後クリック機構とは、レバー４６の前後回動に伴うクリック感を発現する機構である。
【００７４】
［左右回動操作でのクリック感（左右クリック感）］  
左右回動操作でのクリック感は、左右クリック機構によって生じる。本願では、このクリック感が、単に左右クリック感とも称される。図１６から１８が示すように、この左右クリック感は、左右クリック用球体５２と凸部１７０との係合又は係合解除によって生じる。レバー４６の左右回動により、図１６の状態から、図１７の状態を経て、図１８の状態へと移行する。図１７は、球体５２が凸部１７０と係合している状態を示す。図１８は、球体５２と凸部１７０との係合が解除された直後の状態を示す。レバー４６の左右回動により、図１６の非係合状態から、図１７の係合状態に移行し、更に図１８の係合解除状態に移行する。
【００７５】
図１７に示される係合状態では、弾性部材５０が圧縮されるとともに、左右回動時の抵抗力が増加する。この抵抗力の増加に起因する感覚も、左右クリック感の一例である。また、係合解除の瞬間に、振動が発生する。この振動は、典型的な左右クリック感を生じさせる。また、この係合解除の瞬間に、音が発生する。この音に起因する感覚も、左右クリック感の一例である。  
【００７６】
なお、本実施形態では、図１６におけるハンドル１４の左右位置は、正面位置Ｓ１（後述）である。図１７におけるハンドル１４の左右位置は、正面位置Ｓ１（後述）よりも湯側に５度である。図１８におけるハンドル１４の左右位置は、正面位置Ｓ１（後述）よりも湯側に１０度である。図１９におけるハンドル１４の左右位置は、正面位置Ｓ１（後述）よりも湯側に６０度である。この湯側の６０度の位置は、後述される左限界ＭＬである。
【００７７】
図１７の係合状態を除き、左右クリック用球体５２は、内面１２１に当接していない（図１６、１８及び１９参照）。球体（当接体）５２は弾性部材５０によって常に当接面１２側に付勢されているが、左右クリック用球体５２の位置は軸保持体５４によって制御されている。この制御によって、クリック感が生じない位置では、球体（当接体）５２は内面１２１に当接しない。このように、この左右クリック機構では、クリック感が生じない位置の少なくとも一部において、当接面１２１と当接体５２とが離れるように、当接体５２の位置が制御されている。本実施形態の左右クリック機構では、クリック感が生じない位置の全体において、当接面１２１と当接体５２とが離れるように、当接体５２の位置が制御されている。この構成により、摺動による摩耗が抑制され、左右クリック感が、長期間に亘って、精度よく維持されうる。一方、制御された当接体５２の位置は、クリック発現部（凸部１７０）に当接しうる位置である。よって左右クリック感は確実に発現する。
【００７８】
なお、言うまでもないが、球体（当接体）５２が、左右位置に係わらず内面１２１に常に当接していてもよい。
【００７９】
［前後回動操作でのクリック感（前後クリック感）］
前後回動操作でのクリック感は、前後クリック機構によって生じる。本願では、このクリック感が、前後クリック感とも称される。図１１が示すように、凸部５６ｃと係合当接部Ｅ１とは互いに係合しうる位置関係にある。レバー４６の前後回動に伴い、クリック係合部５６がレバー軸線Ｚ１を中心として回動する。このクリック係合部５６の回動により、クリック係合部５６と係合当接部Ｅ１との間にクリック係合が生じる。クリック係合とは、クリック感を生じうる係合を意味する。このクリック係合により前後クリック感が生じる。
【００８０】
凸部５６ｃは、弾性変形部である。クリック係合において、凸部５６ｃに、弾性変形及び変形回復が生じる。係合当接部Ｅ１と凸部５６ｃとが当接した状態でクリック係合部５６が回動すると、凸部５６ｃが弾性変形により曲げられる。クリック係合部５６の回動が更に進行すると、係合当接部Ｅ１と凸部５６ｃとの当接が解除される。この解除により、変形回復が生じる。
【００８１】
複数の凸部５６ｃは、レバー軸線Ｚ１を中心とする回転方向において、所定間隔おきに配置されている。よって、レバー４６の前後回動により、複数の凸部５６ｃが、順次、係合当接部Ｅ１に係合する。レバー４６の前後回動において、第１の凸部５６ｃの係合及び係合解除が生じ、続いて、この第１の凸部５６ｃに隣接する第２の凸部５６ｃの係合及び係合解除が生じる。このように、複数の凸部５６ｃが、順次、係合当接部Ｅ１を乗り越えるように構成されている。よって、レバー４６の前後回動を一方向に１回行う間に、複数のクリック感が生じる。
【００８２】
凸部５６ｃに弾性変形が生じている状態では、ハンドル１４の上下回動の抵抗が増加する。この抵抗の増加は、クリック感の一例である。係合当接部Ｅ１と凸部５６ｃとの当接が解除された瞬間に、上記抵抗が減少する。この抵抗の減少は、クリック感の一例である。係合当接部Ｅ１と凸部５６ｃとの当接が解除される瞬間に音が生じうる。この音はクリック感の一例である。係合当接部Ｅ１と凸部５６ｃとの当接が解除される瞬間に振動が生じうる。この振動はクリック感の一例である。
【００８３】
５つの凸部５６ｃのうち、係合当接部Ｅ１を乗り越えるのは、３つの凸部５６ｋである（図１４（ａ）参照）。５つの凸部５６ｃのうち、両端の凸部５６ｃを除く３つの凸部５６ｃが、凸部５６ｋである。このため、後述するように、前後クリック感の回数Ｎは３である。係合当接部Ｅ１を乗り越えうる凸部５６ｋの数は、クリック回数Ｎと同じである。
【００８４】
前後クリック感が生じるときの状況として、以下が例示される。
[状況１]：凸部５６ｃ（凸部５６ｋ）が係合当接部Ｅ１を乗り越える時に、前後クリック感が生じる。
[状況２]：凸部５６ｃを乗り越えた係合当接部Ｅ１が、隣接する凸部５６ｃに当接する時に、前後クリック感が生じる。
[状況３]：状況１と状況２とがほぼ同時に起こることにより、前後クリック感が生じる。
【００８５】
５つの凸部５６ｃのうち、両端（上端及び下端）に位置する凸部５６ｃは、上記状況１におけるクリック感には関与しないが、上記状況２及び状況３におけるクリック感には関与しうる。よって、これら両端の凸部５６ｃも、前後クリック感の確実な発生に寄与しうる。
【００８６】
レバー４６が前後回動の限界位置にあるとき、係合当接部Ｅ１は、上端又は下端の凸部５６ｃと、この凸部５６ｃに隣接する凸部５６ｋとの間に位置する。このとき、係合当接部Ｅ１は、上端又は下端の凸部５６ｃと凸部５６ｋとにより挟まれる。この挟み込みにより、クリック係合部５６の位置ズレが防止される。
【００８７】
レバー４６の左右位置によって、係合当接部Ｅ１とクリック係合部５６とが係合しない位置（非係合左右位置）と、係合当接部Ｅ１とクリック係合部５６とが係合する位置（係合左右位置）とが生じうる。非係合左右位置では、前後クリック感が生じない。係合左右位置では、前後クリック感が生じる。レバー４６を非係合左右位置から係合左右位置に左右回動させるとき、係合当接部Ｅ１が、互いに隣接する凸部５６ｃの間に入り込む。上端及び下端の凸部５６ｃは、この入り込みを確実とするのに寄与しうる。
【００８８】
図２０は、ハンドル１４の左右回動について説明するための平面図である。ハンドル１４は、左限界ＭＬから右限界ＭＲまで左右回動が可能である。範囲ＲＦは、ハンドル１４の左右回動の可能範囲である。この範囲ＲＦの角度が符号θｆで示されている。図２０の実施形態では、この範囲ＲＦの中心周位置Ｃ１が、ハンドル１４の正面位置Ｓ１である。
【００８９】
なお、ハンドル１４の周位置は、レバー４６の周位置と同じである。周位置とは左右位置と同義である。角度範囲ＲＴ１は、水のみが吐出されるレバー左右位置である。角度範囲ＲＴ１では、湯が吐出されない。角度範囲ＲＴ２は、湯が吐出されるレバー左右位置である。角度範囲ＲＴ２では、湯と水とが混合されるか、又は、湯のみが吐出される。図２０が示すように、角度範囲ＲＴ１は、使用者から見て、中心周位置Ｃ１よりも右側である。図２０が示すように、角度範囲ＲＴ２は、使用者から見て、中心周位置Ｃ１よりも左側である。使用者からみて、角度範囲ＲＴ１は、角度範囲ＲＴ２の右側である。
【００９０】
ハンドル１４の周位置が角度範囲ＲＴ１にあるとき、湯が混合されない。すなわち、ハンドル１４の周位置が角度範囲ＲＴ１にあるとき、水の割合が１００％である。範囲ＲＴ１は、水吐出位置である。本実施形態では、ハンドル１４が正面よりも右側にあるとき、湯が混合されない。
【００９１】
ハンドル１４の周位置が中心周位置Ｃ１にあるときも、湯が混合されない。即ち、すなわち、ハンドル１４の周位置が中心周位置Ｃ１（正面位置Ｓ１）にあるとき、水の割合が１００％である。位置Ｃ１（位置Ｓ１）は、水吐出位置である。
【００９２】
この図２０の実施形態では、ハンドル１４の旋回可能範囲ＲＦが正面位置Ｓ１に対して左右対称とされたが、左右非対称とされてもよい。
【００９３】
図２１は、図２０とは異なる実施形態の湯水混合栓を示す。本実施形態では、角度範囲ＲＴ１と角度範囲ＲＴ２との境界Ｋ１が、正面位置Ｓ１よりも左側に位置している。境界Ｋ１は、正面位置Ｓ１よりも湯側に位置する。本実施形態では、レバー左右位置が正面位置Ｓ１から湯側にずれている場合でも、水のみが吐出されうる。このため、意図しない湯の混合が抑制され、省エネルギーに寄与しうる。
【００９４】
上記レバー組立体４０では、図２１の形態が採用されている。
【００９５】
図２１において両矢印θｋで示されるのは、正面位置Ｓ１と境界Ｋ１との間の角度である。省エネルギーの観点から、角度θｋは、２度以上が好ましく、３度以上がより好ましく、４度以上が更に好ましい。角度範囲ＲＴ２が過度に狭くなると、吐水温度が調節しにくい場合がある。この観点から、角度θｋは、２０度以下が好ましく、１５度以下がより好ましく、１２度以下が更に好ましい。ただし、用途によって、あらゆる角度θｋが可能である。上記実施形態では、角度θｋは５度とされた。
【００９６】
境界Ｋ１の周位置（角度θｋ）は、例えば、後述される角度θｘによって調整される。もちろん、角度θｋは、各弁孔及び流路形成凹部の位置、形状等によって調整されてもよい。
【００９７】
角度範囲ＲＴ２が小さすぎると、湯水混合比率を調節できるハンドル１４の角度範囲が狭くなりすぎて、湯水混合比率の変化が急激になりすぎる。この観点から、範囲ＲＴ２の角度θ２は、４０度以上が好ましく、５０度以上がより好ましく、５５度以上が特に好ましい。角度範囲ＲＴ２が大きすぎると、湯水混合比率を調節できるハンドル１４の角度範囲が広くなりすぎて、操作性が低下する。この観点から、範囲ＲＴ２の角度θ２は、１００度以下が好ましく、９０度以下がより好ましく、７０度以下が特に好ましい。
【００９８】
角度範囲ＲＴ１の角度θ１は０度とすることもできる。しかし、通常の湯水混合栓では、角度θ１が０度とはされていないため、θ１を０度とすると、使用者がハンドル１４を中心周位置Ｃ１よりも右側に過度に操作してしまうことがある。この過度な操作の繰り返しは、湯水混合栓に過度な負担を与え、湯水混合栓の耐久性に悪影響を与える場合がある。この観点から、範囲ＲＴ１の角度θ１は、１０度以上が好ましく、２０度以上がより好ましく、３０度以上が特に好ましい。角度θ１が過大である場合、水の割合が１００％である範囲が広くなりすぎて、操作性が低下する。この観点から、範囲ＲＴ１の角度θ１は、７０度以下が好ましく、６０度以下がより好ましく、５０度以下が特に好ましい。
【００９９】
角度範囲ＲＴ１と角度範囲ＲＴ２との角度比（θ１／θ２）が小さすぎると、角度θ１が小さくなりすぎたり、角度θ２が大きくなりすぎたりして、前述の問題が生じやすくなる。この観点から、角度比（θ１／θ２）は、０．２以上が好ましく、０．４以上がより好ましく、０．６以上が特に好ましい。また、角度比（θ１／θ２）が大きすぎると、角度θ１が大きくなりすぎたり、角度θ２が小さくなりすぎたりして、前述の問題が生じやすくなる。この観点から、角度比（θ１／θ２）は、０．９以下が好ましく、０．８以下がより好ましく、０．７以下が特に好ましい。
【０１００】
図２１において両矢印ＲＴ３で示されるのは、前後クリック感が生じる角度範囲である。この範囲ＲＴ３の角度θａについては、前述の通りである。本実施形態では、角度範囲ＲＴ３が角度範囲ＲＴ２に一致しており、角度範囲ＲＴ１では前後クリック感が生じない。逆に、角度範囲ＲＴ３が角度範囲ＲＴ１に一致しており、角度範囲ＲＴ２では前後クリック感が生じない構成も可能である。これらの構成により、前後クリック感の有無によって、湯が吐出されているか否かが判別されうる。よって省エネルギーが達成されうる。
【０１０１】
図２１において両矢印θｂで示されているのは、正面位置Ｓ１から、左右位置Ｋ２までの角度である。左右位置Ｋ２は、前後クリック感が開始される左右位置である。省エネルギーの観点から、角度θｂは、２度以上が好ましく、３度以上がより好ましく、４度以上が更に好ましい。利便性の観点から、角度θｂは、１５度以下が好ましく、１２度以下がより好ましく、１０度以下が更に好ましい。ただし、用途によって、あらゆる角度θｂが可能である。上記実施形態では、角度θｂは５度とされた。
【０１０２】
図２０及び図２１の実施形態は例示に過ぎない。レバー周位置と湯の混合割合との関係は多様に設定することができ、それぞれの設定に見合った効果が奏されうる。
【０１０３】
図２２（ａ）は、固定弁体６２の平面図である。図２２（ａ）は、固定弁体６２を上側からみた図である。図２２（ｂ）は、固定弁体６２の底面図である。図２２（ｂ）は、固定弁体６２を下側からみた図である。図２２（ｃ）は、図２２（ａ）のｃ−ｃ線に沿った断面図であり、図２２（ｄ）は、図２２（ａ）のｄ−ｄ線に沿った断面図であり、図２２（ｅ）は、図２２（ａ）のｅ−ｅ線に沿った断面図であり、図２２（ｆ）は、図２２（ａ）のｆ−ｆ線に沿った断面図であり、図２２（ｇ）は、図２２（ａ）のｇ−ｇ線に沿った断面図である。
【０１０４】
図２２（ａ）が示すように、湯用弁孔８０（上面開口線８０Ｌ）は、曲がった長孔である。水用弁孔８２（上面開口線８２Ｌ）も、曲がった長孔である。
【０１０５】
図２２（ａ）が示すように、湯用弁孔８０は、上面開口線８０Ｌを有している。上面開口線８０Ｌは、平滑面ＰＬ１における湯用弁孔８０の開口形状である。水用弁孔８２は、上面開口線８２Ｌを有している。上面開口線８２Ｌは、平滑面ＰＬ１における水用弁孔８２の開口形状である。混合水用弁孔８４は、上面開口線８４Ｌを有している。上面開口線８４Ｌは、平滑面ＰＬ１における混合水用弁孔８４の開口形状である。
【０１０６】
図２２（ｂ）が示すように、湯用弁孔８０は、下面開口線８０ｓを有している。水用弁孔８２は、下面開口線８２ｓを有している。混合水用弁孔８４は、下面開口線８４ｓを有している。
【０１０７】
図２２（ａ）が示すように、水用弁孔８２は、その長手方向の一端に第１壁面部Ｗ１を有する。水用弁孔８２は、その長手方向の他端に第２壁面部Ｗ２を有する。湯用弁孔８０は、その長手方向の一端に第３壁面部Ｗ３を有する。湯用弁孔８０は、その長手方向の他端に第４壁面部Ｗ４を有する。
【０１０８】
これらの壁面部Ｗ１からＷ４の少なくともいずれかが、傾斜面を有しているのが好ましい。図２２（ａ）から（ｇ）が示すように、第１壁面部Ｗ１は傾斜面ＳＬ１を有している。第２壁面部Ｗ２は傾斜面ＳＬ２を有している。第３壁面部Ｗ３は傾斜面ＳＬ３を有している。第４壁面部Ｗ４は傾斜面ＳＬ４を有している。
【０１０９】
これらの傾斜面ＳＬ１からＳＬ４は、湯水混合栓１０が使用状態にある場合における鉛直方向に対して傾斜している。これらの傾斜面ＳＬ１から４は、上方（平滑面ＰＬ１）側から見える（図２２（ａ）参照）。
【０１１０】
このように、湯用弁孔８０の壁面は傾斜面ＳＬ３、ＳＬ４を有している。また水用弁孔８２の壁面は、傾斜面ＳＬ１、ＳＬ２を有している。
【０１１１】
これらの傾斜面ＳＬ１からＳＬ４は、ウォーターハンマーの抑制に寄与する。ウォーターハンマーとは、止水状態から吐水状態に切り替えられた際に、水圧の衝撃によって、混合栓の内部で音が発生する現象である。湯用弁孔８０又は水用弁孔８２に湯又は水が急激に流入することによって、ウォーターハンマーが生じる。
【０１１２】
傾斜面ＳＬ１からＳＬ４は、この急激な流入を抑制する。よって、ウォーターハンマーが抑制される。湯又は水は、傾斜面に沿って斜めに流入することになるため、水圧の衝撃が緩和される。
【０１１３】
また、湯水が斜めに流入することになるため、可動弁体６０等に作用する水圧衝撃が緩和される。この緩和により、湯水混合栓１０の耐久性が向上しうる。
【０１１４】
なお、傾斜面ＳＬ１からＳＬ４は、平面であってもよいし、曲面であってもよい。また、傾斜面ＳＬ１からＳＬ４は、滑らかであってもよいし、段階的（例えば階段状）であってもよい。
【０１１５】
図２２（ａ）が示すように、湯用弁孔８０の上面開口線８０Ｌ及び水用弁孔８２の上面開口線８２Ｌは、左右非対称に形成されている。即ち、図２２（ａ）の平面視において、ある直線を軸として図形を反転させると上面開口線８０Ｌと上面開口線８２Ｌとが重なるような対称軸は存在しない。例えば、レバー前後方向中心ラインＬｃ（図２２（ａ）及び（ｂ）参照）に関して、上面開口線８０Ｌと上面開口線８２Ｌとは対称性を有さない。上方から見た平面視において、レバー前後方向中心ラインＬｃは、レバー４６が中心周位置Ｃ１にあるときのレバー４６の中心線に一致する（図２０及び図２１参照）。
【０１１６】
もちろん、上面開口線８０Ｌと上面開口線８２Ｌとが左右対称であってもよい。
【０１１７】
湯水の切り替え機能の自由度を高める手法の一つは、流路形成凹部９４と、湯用弁孔８０及び水用弁孔８２との位置関係を多様に設計することである。上述した左右対称の構成に限定されないことで、湯用弁孔８０及び水用弁孔８２の設計自由度が向上する。よって、大きなコスト上昇を招くことなく、多様な湯水切り替え機能が実現されうる。
【０１１８】
従来、湯用弁孔８０及び水用弁孔８２は、左右対称に配置されていた。そして、湯用弁孔８０及び水用弁孔８２の側面には上記傾斜面ＳＬを設けられておらず、湯用弁孔８０の側面は平滑面ＰＬ１に対して垂直であった。その結果、湯用弁孔８０において、上面開口線と下面開口線とは、同位置で且つ同形状であった。同様に、水用弁孔８２において、上面開口線と下面開口線とは、同位置で且つ同形状であった。このような構成では、上面開口線を左右非対称等の特殊な形状とすると、下面開口線も特殊な形状となる。下面開口線が特殊な形状である場合、汎用されているベース体６８が当該下面開口線に適合しない。即ち、汎用のベース体６８を用いることができない事態が生じる。
【０１１９】
これに対して、上記実施形態では、上面開口線８０Ｌと下面開口線８０ｓとで、形状及び配置は相違している。また、上面開口線８２Ｌと下面開口線８２ｓとで、形状及び位置が相違している。前述した傾斜面ＳＬ１から４は、これらの相違を生じさせている。この構成では、上面開口線８０Ｌ、８２Ｌの設計自由度を高めつつ、下面開口線８０ｓ、８２ｓの形状を、汎用のベース体６８に適合させることができる。この観点から、下面開口線８２ｓ及び下面開口線８０ｓは左右対称であるのが好ましい（図２２（ｂ）参照）。下面開口線８２ｓと下面開口線８０ｓとは対称（左右対称）であり、その対称軸は、レバー前後方向中心ラインＬｃである。
【０１２０】
図２３（ａ）は、可動弁体６０の下側部材８８の平面図である。図２３（ａ）は下側部材８８を上方から見た図である。図２３（ｂ）は、下側部材８８の底面図である。図２３（ｂ）は下側部材８８を下方から見た図である。図２３（ｃ）は、図２３（ｂ）のｃ−ｃ線に沿った断面図である。図２３（ｄ）は、図２３（ｂ）のｄ−ｄ線に沿った断面図である。
【０１２１】
流路形成凹部９４は、下面開口線９４Ｌを有する。下面開口線９４Ｌは、平滑面ＰＬ２における流路形成凹部９４の開口形状である。
【０１２２】
図２４（ａ）から（ｆ）は、固定弁体６２の上面と、可動弁体６０（下側部材８８）の下面との重なり状態を示す図である。この図２４（ａ）から（ｆ）では、上方視において固定弁体６２によって隠される可動弁体６０の線が破線で描かれており、可動弁体６０（下側部材８８）の下面線が実線で描かれている。図２４（ａ）から（ｆ）では、上面開口線８０Ｌ及び上面開口線８２Ｌと下面開口線９４Ｌとの重なり状態が示されている。
【０１２３】
図２４（ａ）から（ｆ）では、上方からは見ることの出来ない可動弁体６０の下面線が実線で示されている。この点は、通常の図面とは相違するので、留意されたい。
【０１２４】
図２４（ａ）は、レバー左右位置が左限界ＭＬであり、且つ、レバー前後位置が上限界（吐出ストップ）の状態を示している。図２４（ｂ）は、レバー左右位置が左限界ＭＬであり、且つ、レバー前後位置が下限界（吐出最大）の状態を示している。図２４（ｃ）は、レバー左右位置が中心周位置Ｃ１（正面位置Ｓ１）であり、且つ、レバー前後位置が上限界（吐出ストップ）の状態を示している。図２４（ｄ）は、レバー左右位置が中心周位置Ｃ１（正面位置Ｓ１）であり、且つ、レバー前後位置が下限界（吐出最大）の状態を示している。図２４（ｅ）は、レバー左右位置が右限界ＭＲであり、且つ、レバー前後位置が上限界（吐出ストップ）の状態を示している。図２４（ｆ）は、レバー左右位置が右限界ＭＲであり、且つ、レバー前後位置が下限界（最大吐出位置）の状態を示している。
【０１２５】
上面開口線８０Ｌで囲まれた領域Ｘが、図２２（ａ）において破線ハッチングで示されている。この領域Ｘは、湯用弁孔８０の上面開口領域である。上面開口線８２Ｌで囲まれた領域Ｙが、図２２（ａ）において破線ハッチングで示されている。この領域Ｙは、水用弁孔８２の上面開口領域である。下面開口線９４Ｌで囲まれた領域Ｚが、図２３（ｂ）において破線ハッチングで示されている。この領域Ｚは、可動弁体６０（下側部材８８）における流路形成凹部９４の下面開口領域である。
【０１２６】
図２２（ａ）において２点鎖線ハッチングで示される領域Ｅは、混合水用弁孔８４の上面開口線８４Ｌで囲まれた領域である。
【０１２７】
図２４（ｂ）における実線ハッチングは、上記領域Ｘと上記領域Ｚとの重なり領域ＸＺを示す。図２４（ｄ）におけるハッチングは、上記領域Ｙと上記領域Ｚとの重なり領域ＹＺを示す。図２４（ｅ）におけるハッチングは、上記領域Ｙと上記領域Ｚとの重なり領域ＹＺを示す。
【０１２８】
可動領域の全てにおいて、混合水用弁孔８４の領域Ｅは、流路形成凹部９４の領域Ｚに重複している。
【０１２９】
［湯水の流れ］
湯は、湯導入部（湯導入管１８及び湯導入口７０）を経由して、湯用弁孔８０に至る。水は、水導入部（水導入管２０及び水導入口７２）を経由して、水用弁孔８２に至る。
【０１３０】
湯用弁孔８０に到達した湯は、流路形成凹部９４に流入する。この流入は、上記領域ＸＺにより生ずる。可動弁体６０の摺動により、領域ＸＺの面積は変化する。領域ＸＺが存在しない場合、湯は流路形成凹部９４に流入しない。領域ＸＺが存在しない場合とは、可動弁体６０（下側部材８８）の下面を構成する平滑面ＰＬ２によって湯用弁孔８０が完全に塞がれていることを意味する。平滑面ＰＬ２によって湯用弁孔８０が完全に塞がれている状態の例は、図２４（ｄ）及び図２４（ｆ）に示される。
【０１３１】
水用弁孔８２に到達した水は、流路形成凹部９４に流入する。この流入は、上記領域ＹＺにより生ずる。可動弁体６０の摺動により、領域ＹＺの面積は変化する。領域ＹＺが存在しない場合、水は流路形成凹部９４に流入しない。領域ＹＺが存在しない場合とは、可動弁体６０（下側部材８８）の下面を構成する平滑面ＰＬ２によって水用弁孔８２が完全に塞がれていることを意味する。平滑面ＰＬ２によって水用弁孔８２が完全に塞がれている状態の例は、図２４（ｂ）に示される。
【０１３２】
流路形成凹部９４に到達した湯及び／又は水は、混合水用弁孔８４、吐出口７４及び吐出管２２を経由して、吐出部１６に至る。
【０１３３】
湯と水との混合割合は、上記領域ＸＺと上記領域ＹＺとの面積比Ｒ１に依存する。ハンドル１４の旋回によって、レバー４６を介して可動弁体６０が回転する。この可動弁体６０の回転によって、面積比Ｒ１が変化する。この変化によって、水温が調節される。
【０１３４】
吐出量は、上記領域ＸＺと上記領域ＹＺとの面積合計Ｓａに依存する。ハンドル１４の上下動によって、レバー４６が前後回動し、可動弁体６０が直線方向Ｄ１方向に移動する。この可動弁体６０の移動によって、面積合計Ｓａが変化する。この変化によって、吐出量が調節される。このように、湯水混合栓１０は、レバー４６の前後回動によって吐出量を調節しうる吐出量調節機構を有する。
【０１３５】
面積合計Ｓａがゼロである場合、吐出がストップする。面積合計Ｓａがゼロである場合とは、平滑面ＰＬ２によって湯用弁孔８０及び水用弁孔８２が完全に塞がれていることを意味する。平滑面ＰＬ２によって湯用弁孔８０及び水用弁孔８２が完全に塞がれている例は、図２４（ａ）、（ｃ）及び（ｅ）に示される。
【０１３６】
図２４（ｂ）には、領域ＹＺが存在しない。レバー左右位置が左限界ＭＬである場合、レバーの上下回動位置に関わらず、水は混合されない。即ちこの場合、湯が１００％である。
【０１３７】
図２４（ｄ）には、領域ＸＺが存在しない。レバー左右位置が中心周位置Ｃ１である場合、レバーの上下回動位置に関わらず、湯は混合されない。即ちこの場合、水が１００％である。よって、給湯器は作動せず、省エネルギーが達成される。一般に、湯水混合栓の使用者は、レバーを中心周位置Ｃ１に合わせて使用する傾向にある。湯水混合栓１０では、使用される傾向が高い中心周位置Ｃ１において、省エネルギーが達成される。
【０１３８】
図２４（ｆ）には、領域ＸＺが存在しない。レバー左右位置が右限界ＭＲである場合、レバーの上下回動位置に関わらず、湯は混合されない。即ちこの場合、水が１００％である。
【０１３９】
図２５（ａ）から（ｆ）は、図２４（ａ）から（ｆ）と同じ図である。ただし、図面の理解を容易とする観点から、図２５（ａ）から（ｆ）では、図２４（ａ）から（ｆ）に記載された符号の一部が省略されている。
【０１４０】
図２５の（ａ）、（ｃ）及び（ｅ）において両矢印Ｄ１で示されるのは、可動弁体６０の移動の直線方向である。レバー４６の前後回動に伴い、下面開口線９４Ｌは、直線方向Ｄ１に沿って移動する。
【０１４１】
図２５の（ａ）、（ｃ）及び（ｅ）において両矢印Ｄ２で示されるのは、レバー４６の前後回動における前後方向である。前後方向Ｄ２は、上側から見た平面視におけるレバー４６の前後回動方向である。前後方向Ｄ２は、レバー軸線Ｚ１に対して垂直な方向である。レバー軸線Ｚ１に対して垂直な平面と平滑面ＰＬ２との交線Ｌｍ（図示しない）を考えたとき、前後方向Ｄ２はこの交線Ｌｍに平行である。
【０１４２】
湯水混合栓１０では、前後方向Ｄ２が直線方向Ｄ１に対して平行ではない。図２５（ａ）、（ｃ）及び（ｅ）において両矢印θｘで示されるのは、直線方向Ｄ１と前後方向Ｄ２との成す角度である。角度θｘの設定により、吐水仕様の自由度が向上する。
【０１４３】
ここで、図２５（ｃ）及び（ｄ）に着目する。即ち、レバー左右位置が中心周位置Ｃ１である場合に着目する。仮に、可動弁体６０が前後方向Ｄ２に移動する場合、図２５（ｄ）の吐出状態において、領域ＸＺが生じてしまう。即ち、この領域ＸＺにより、湯が混合されてしまう。しかし、本実施形態では、直線方向Ｄ１が、前後方向Ｄ２に対して傾斜している。しかも、この傾斜の方向は、レバー左右位置が中心周位置Ｃ１である状態において、湯用弁孔８０との重複を避けるような方向である。よって、レバー左右位置が中心周位置Ｃ１である場合において、レバー４６を吐出方向に回動させても、可動弁体６０が直線方向Ｄ１に沿って移動するため、領域ＹＺのみが生じ、領域ＸＺは生じない（図２５（ｄ）参照）。
【０１４４】
図２６（ａ）は、下面開口線９４Ｌの形状を示す平面図である。この下面開口線９４Ｌは、ストレート状部分ＳＴを有する。このストレート状部分ＳＴは、直線方向Ｄ１に平行である（図２５（ａ）、（ｃ）及び（ｅ）参照）。下面開口線９４Ｌは、湯用弁孔８０側に配置されている。吐出量が最大である状態において、水のみが吐出される状態から湯が混合される状態へと移行するとき、下面開口線９４Ｌのうち、上面開口線８０Ｌに最初に重なるのが、このストレート状部分ＳＴである。このようなストレート状部分ＳＴの配置は、レバー左右位置が中心周位置Ｃ１である場合において、湯の混合を防ぐのに寄与している（図２５（ｄ）参照）。
【０１４５】
ストレート状部分ＳＴは、直線方向Ｄ１に略平行であるのが好ましい。略平行とは、±５度の誤差角度を許容する主旨である。この誤差角度は、好ましくは±３度であり、更に好ましくは、上記実施形態の如く、ストレート状部分ＳＴと直線方向Ｄ１とは平行とされる。なお、ストレート状部分ＳＴが直線でない場合、ストレート状部分ＳＴの両端を結ぶ直線によって、上記誤差角度及び上記平行が判定される。
【０１４６】
直線方向Ｄ１に沿ったストレート状部分ＳＴが設けられることで、中心周位置Ｃ１における前後回動の全範囲において、湯の混合が効果的に防止される。よって、使用者の意図に反して湯が混合されることが抑制され、省エネルギーが達成されうる。また、特殊な弁孔形状によって湯の混合を避ける必要が無くなるので、弁孔の設計自由度が向上する。
【０１４７】
弁孔の設計自由度の向上により、可動弁体６０及び固定弁体６２に、前後クリック機構及び／又は左右クリック機構を設けることが容易となる。例えば、可動弁体６０に、凹部及び／又は凸部を設けたり、出退機構を設けたりすることが容易とされうる。また、固定弁体６２に、凹部及び／又は凸部を設けたり、出退機構を設けたりすることが容易とされうる。よって、クリック感の態様の設計自由度が向上しうる。
【０１４８】
本実施形態では、直線方向Ｄ１を前後方向Ｄ２と相違させることで、領域ＸＺ（図２５（ｂ）参照）の発生を制御している。このため、弁孔形状の制約を少なくすることが出来る。よって、弁孔形状の設計自由度が向上する。この設計自由度の向上により、湯水混合比率とレバー旋回操作との関係の設定において、自由度が向上する。また、吐出量とレバー前後回動操作との関係の設定において、自由度が向上する。
【０１４９】
一般に、湯用弁孔８０に供給される湯の供給圧は、水用弁孔８２に供給される水の供給圧よりも低い。これは、湯が給湯装置を経由して湯水混合栓１０に到達することに起因する。湯用弁孔８０側にストレート状部分ＳＴを設けることで、湯側への旋回（図２１における左側への旋回）において、少ない旋回角度で領域ＸＺ（図２５（ｂ））が増加しやすい。特に、水のみが吐出している状態から湯が混合される状態に切り替わる際に、湯の混合割合が増加しやすい。よって、湯が混合されるレバー左右位置にあるにも関わらず吐水温度が上がりにくいという事態が抑制されうる。このため、温度調節が容易な湯水混合栓１０が実現されうる。
【０１５０】
直線方向Ｄ１と平行な向きにおける下面開口線９４Ｌの長さがＬｆとされる。本願において、ストレート状部分ＳＴとは、曲率半径が長さＬｆの２倍以上である線によって形成されている部分を意味する。ストレート状部分ＳＴにおいて、曲率半径が変化していてもよい。製造及び設計の容易性の観点から、ストレート状部分ＳＴは、曲率半径が長さＬｆの３倍以上である線によって形成されているのが好ましく、最も好ましいストレート状部分ＳＴの形状は、直線である。なお、ストレート状部分ＳＴの曲率半径は、２０ｍｍ以上、更には２５ｍｍ以上とすることもでき、例えば２８ｍｍとすることができる。
【０１５１】
レバー左右位置が中心周位置Ｃ１である場合において湯の混合を防ぎ、且つ各弁孔の設計自由度を高める観点から、上記角度θｘ（図２５（ａ）等参照）は、５度以上が好ましく、１０度以上がより好ましく、２０度以上が特に好ましい。レバー４６の前後回動操作を円滑とする観点からは、角度θｘは、５０度以下が好ましく、４５度以下がより好ましく、４０度以下が特に好ましい。本実施形態では、角度θｘは３９度である。
【０１５２】
なお、下面開口線９４Ｌには、凸状部ｍ１が設けられている。この凸状部ｍ１は、止水状態から吐出状態に移行する際に、湯又は水の流路形成凹部９４への急激な流入を緩和しうる。よって、これらの凸状部ｍ１は、ウォーターハンマーの抑制に寄与する。
【０１５３】
図２６（ｂ）、（ｃ）及び（ｄ）は、下面開口線９４Ｌの変形例である。図２６（ｃ）のように、ストレート状部分ＳＴが設けられなくても良い。また、図２６（ｄ）のように、湯用弁孔８０側及び水用弁孔８２側の両方にストレート状部分ＳＴが設けられても良い。下面開口線９４Ｌの形状によって、吐水仕様を変更することが可能である。
【０１５４】
前後方向Ｄ２に対する直線方向Ｄ１の傾斜を実現させている構成が、前述した移動方向規制機構である。図２７（ａ）は、吐水状態におけるレバー組立体４０の断面図である。図２７（ａ）は上側部材８６の上面に沿った断面図である。図２７（ｂ）は、止水状態におけるレバー組立体４０の断面図である。図２７（ｂ）は上側部材８６の上面に沿った断面図である。
【０１５５】
図２７（ａ）が示すように、レバー４６の下端部（ハッチング部分）とレバー係合孔９８との間には、隙間Ｇｐが設けられている。前述したように、前後回動に伴うレバー４６の下端部の移動方向は前後方向Ｄ２であるが、可動弁体６０（上側部材８６）の移動方向は直線方向Ｄ１である。隙間Ｇｐは、可動弁体６０が直線方向Ｄ１に沿って移動することを許容する。隙間Ｇｐの存在により、直線方向Ｄ１と前後方向Ｄ２とが相違するにも関わらず、レバー４６の下端部が可動弁体６０の移動を阻害しない。
【０１５６】
図２７（ａ）に示されるように、吐出量が最大の状態においては、隙間Ｇｐは、湯水混合栓１０の使用者側から見てレバー４６の右側に位置し、この場合、レバー４６の左側には、隙間Ｇｐは実質的に存在しない。 一方、図２７（ｂ）に示されるように、止水状態においては、隙間Ｇｐは、湯水混合栓１０の使用者側から見てレバー４６の左側に位置し、この場合、レバー４６の右側には、隙間Ｇｐは実質的に存在しない。これらの構成により、隙間Ｇｐの寸法が最小限とされている。なお、図示しないが、最大吐水と止水との中間状態においては、隙間Ｇｐは、湯水混合栓１０の使用者側から見て、レバー４６の右側と左側とに存在する。図２７（ａ）において符号Ｇ１で示されるのは、レバー４６の右側の隙間距離である。図２７（ｂ）において符号Ｇ２で示されるのは、レバー４６の左側の隙間距離である。［Ｇ１＋Ｇ２］は、レバー４６の上下方向の位置に関わらず、一定である。
【０１５７】
なお、凹部９６（図８及び図２３（ａ）参照）の深さは、レバー４６の前後回動の全範囲において、レバー４６の下端と可動弁体６０（上側部材８６）とが接触しないように設定されている。これは、レバー４６の前後回動操作を円滑としている。
【０１５８】
レバー４６の左右回動の円滑性により、左右クリック感の感受性が高まる。例えば、微小な左右クリック感が認識されやすくなる。よって、左右クリック感の設定の自由度が向上しうる。レバー４６の前後回動の円滑性により、前後クリック感の感受性が高まる。例えば、微小な前後クリック感が認識されやすくなる。よって、前後クリック感の設定の自由度が向上しうる。
【０１５９】
上記実施形態では、レバー左右位置によって、前後回動におけるクリック感（前後クリック感）が相違する。上記実施形態では、この前後クリック感の相違が、前後クリック感の有無とされている。上記実施形態では、角度範囲θａ（図１２参照）に対応するレバー左右位置で前後クリック感が生じ、それ以外のレバー左右位置では前後クリック感が生じない。上記実施形態では、角度範囲θａは、上記角度範囲ＲＴ２（図２１参照）に対応している。上記実施形態では、湯が吐出されるレバー左右位置（範囲ＲＴ２）において前後クリック感が生じる。上記実施形態では、水のみが吐出されるレバー左右位置（範囲ＲＴ１）において前後クリック感が生じない。使用者にとって、前後クリック感の有無は、判別しやすい。上記実施形態では、前後クリック感の有無によって、湯が混合されているか否かが容易に判別される。
【０１６０】
湯が混合されているか否かは、吐水の温度のみからは判別しにくいことがある。例えば、湯の混合割合が少ない場合、水が１００％の場合と比較して、温度がそれほど高くならない。よってこの場合、吐水の温度のみからは湯の混合に気がつかないことがある。また、湯の混合割合が高い場合であっても、給湯器等からの加熱装置で加温された湯が蛇口に至るまでの間、吐水の温度が上がらない場合がある。この場合も、吐水の温度のみからは湯の混合に気がつかないことがある。また、ハンドル１４の周位置によっても、湯が混合されているか否かが正確に判別できない場合がある。このような場合、使用者の意図に反して、湯が混合されることがある。使用者が水１００％の吐水を使用しているつもりであるにも関わらず、実際には湯が混合されていることがある。この場合、エネルギーが無駄となる。上記実施形態では、前後クリック感の有無によって、湯が混合されているか否かが容易に判別される。よって、エネルギーの無駄が抑制される。
【０１６１】
本実施形態では、係合当接部Ｅ１の角度範囲θａ（図１２参照）を変えることによって、前後クリック感が生じる角度範囲を自由に設計することができる。また、クリック係合部５６及び係合当接部Ｅ１の仕様を変えることで、前後クリック感の強さ、回数等を容易に変更することができる。本実施形態は、前後クリック感の設計自由度に優れる。 
【０１６２】
クリック感の有無の設定として、以下が例示される。以下の設定１は、前述した実施形態での設定である。
［設定１］：水のみが吐出されるレバー左右位置（上記範囲ＲＴ１）では、前後クリック感が生じない。湯が吐出されるレバー左右位置（上記範囲ＲＴ２）では、前後クリック感が生じる。
［設定２］：水のみが吐出されるレバー左右位置では、前後クリック感が生ずる。湯が吐出されるレバー左右位置では、前後クリック感が生じない。
【０１６３】
また、クリック感の仕様として、次の設定３も例示される。
［設定３］：水のみが吐出されるレバー左右位置と、湯が吐出されるレバー左右位置とで、前後クリック感が相違する。
【０１６４】
この設定３では、例えば、前後クリック感が２種類である。もちろん、前後クリック感が３種類以上であってもよく、その一例は次の設定４である。
［設定４］：水の混合割合が１００％であるレバー左右位置では第１の前後クリック感が生じ、水の混合割合がＷａ％以上１００％未満であるレバー左右位置では第２の前後クリック感が生じ、水の混合割合がＷａ％未満であるレバー左右位置では第３の前後クリック感が生じる。
【０１６５】
上記混合割合Ｗａ％は、例えば、人体が直接触れると危険な水温となるような割合に設定されてもよい。この場合、熱いお湯が吐出されるか否かがクリック感によって感知されうる。
【０１６６】
クリック感の有無と、クリック感の相違とが組み合わされてもよく、その一例は次の設定５である。
［設定５］：水の混合割合が１００％であるレバー左右位置では前後クリック感が生じず、水の混合割合がＷａ％以上１００％未満であるレバー左右位置では第１の前後クリック感が生じ、水の混合割合がＷａ％未満であるレバー左右位置では第２の前後クリック感が生じる。
【０１６７】
レバー左右位置によって前後クリック感を相違させるには、係合当接部Ｅ１の仕様を周方向位置によって変更すればよい。この係合当接部Ｅ１の仕様として、係合当接部Ｅ１の高さＨｂ及び係合当接部Ｅ１の突起数Ｎｂが例示される。図１１の実施形態では、突起数Ｎｂは１である。
【０１６８】
前後クリック感をどのように相違させるかは、限定されない。相違させうる前後クリック感の仕様として、以下が例示される。
［仕様１］：吐出ストップ位置から最大吐出位置までレバーを回動させたときの前後クリック感の回数Ｎ
［仕様２］：前後クリック感の発生時におけるレバーの前後回動操作の抵抗感
［仕様３］：前後クリック感の発生時における音
【０１６９】
なお、抵抗感とは、レバーを回動させるために必要な回転モーメントと同義である。
【０１７０】
左右クリック感の仕様は、凸部１７０の位置、数及び高さに変更されうる。また、左右クリック感の仕様は、弾性部材５０の弾性係数によって変更されうる。左右クリック感の調整は容易である。左右クリック感の設計自由度は高い。
【０１７１】
球体５２の直径を変化させると、当接面側への球体の突出量が変化しうる。クリック機構の発現に球体５２を利用することで、球体の直径を変えるだけでも、クリック感の変更が達成されうる。よって、左右クリック感の調整は容易である。
【０１７２】
なお、上記実施形態では、ハウジング４２は全体として一体成形されている。ハウジング４２は、別個に成形された部材が組み合わされていても良い。レバー４６と共に左右回動しない固定部材であって、クリック係合部５６が係合しうる部材は、本願にいうハウジングに該当する。
【０１７３】
前後クリック感と左右クリック感との組み合わせにより、多様なクリック感が達成されうる。目的に応じて、種々のクリック感を設定することができる。設定可能なクリック感の仕様として、以下が例示される。
（クリック仕様Ａ）レバー左右位置によって、前後クリック感が相違する。
（クリック仕様Ｂ）レバー前後位置によって、前後クリック感が相違する。
（クリック仕様Ｃ）レバー左右位置によって、左右クリック感が相違する。
【０１７４】
クリック仕様Ａは、例えば、周方向位置によって係合当接部Ｅ１の構成を変更することで達成されうる。変更可能な係合当接部Ｅ１の構成として、上記高さＨｂ及び上記突起数Ｎｂが例示される。複数の突起が設けられる場合、これらの突起間の間隔も、変更可能な係合当接部Ｅ１の構成である。
【０１７５】
クリック仕様Ｂは、例えば、複数の凸部５６ｃを有する場合において、凸部５６ｃの高さを異ならせることで達成されうる。例えば、図１１の実施形態において、第１の凸部５６ｃの高さと第２の凸部５６ｃの高さとを相違させることで、クリック仕様Ｂが達成されうる。
【０１７６】
クリック仕様Ｃは、例えば、周方向位置によって凸部１７０の構成を変更することで達成されうる。変更可能な凸部１７０の構成として、上記高さＨａ及び凸部形状が例示される。
【０１７７】
ここで、部材Ｘ、Ｙ及びＺの分類が説明される。レバー組立体４０を構成する部材は、次の３つに分類されうる。
（１）部材Ｘ：レバーの左右回動に連動して回転し、且つ、レバーの前後回動に連動して回動又は移動する部材。
（２）部材Ｙ：レバーの左右回動に連動して回転するが、レバーの前後回動によって移動しない部材。
（３）固定部材Ｚ：レバーのいかなる操作に対しても動かない（移動も回転もしない）部材。
【０１７８】
上記部材Ｘとして、可動弁体６０（上側部材８６及び下側部材８８）が挙げられる。上記部材Ｙとして、回動体４４が挙げられる。上記固定部材Ｚとして、ハウジング４２、固定弁体６２及びベース体６８が挙げられる。
【０１７９】
前後クリック機構は、上記実施形態に限定されない。前後クリック機構は、例えば、レバーの前後回動に伴い相対移動する部材間において構成されうる。この相対移動する部材として、上記部材Ｘと上記固定部材Ｚとの組み合わせが例示される。好ましくは、部材Ｘと固定部材Ｚとの間で、前後クリック機構が構成される。例えば、部材Ｘと固定部材Ｚとの間に、凹部及び／又は凸部と出退機構とを設けることで、前後クリック機構が実現されうる。出退機構は、部材Ｘに設けられても良いし、固定部材Ｚに設けられても良い。凹部及び／又は凸部は、部材Ｘに設けられても良いし、固定部材Ｚに設けられても良い。クリック感の設計自由度の観点からは、凹部及び／又は凸部の設計自由度が高いのが好ましい。この観点から、凹部及び／又は凸部の設置面積が広いのが好ましい。この設置面積の観点から、凹部及び／又は凸部は、固定部材Ｚに設けられるのが好ましく、ハウジング４２に設けられるのがより好ましい。
【０１８０】
上記実施形態では、前後クリック機構に係る部材Ｘの一例として、クリック係合部５６が採用されている。部材Ｘは、例えば可動弁体６０（上側部材８６）であってもよい。また、可動弁体６０（下側部材８８）と固定弁体６２との間に前後クリック機構が構成されてもよい。これらの前後クリック機構は、係合当接部Ｅ１とクリック係合部５６とにより構成される前後クリック機構と組み合わせられてもよい。
【０１８１】
左右クリック機構は、例えば、レバーの左右回動に伴い相対回転する部材間において構成されうる。この相対回転する部材として、上記部材Ｙと上記固定部材Ｚとの組み合わせが例示される。好ましくは、部材Ｙと固定部材Ｚとの間で、左右クリック機構が構成される。例えば、部材Ｙと固定部材Ｚとの間に、凹部及び／又は凸部と出退機構とを設けることで、左右クリック機構が実現されうる。上記実施形態では、左右クリック機構に係る部材Ｙの一例として回動体４４が採用されている。上記実施形態では、左右クリック機構に係る固定部材Ｚの一例としてハウジング４２が採用されている。上記実施形態では、出退機構の一例として、弾性体と球体との組み合わせが採用されている。
【０１８２】
上記部材Ｘと上記固定部材Ｚとにより前後クリック機構を構成する場合、上記部材Ｘと上記固定部材Ｚとが直接的に接しているのが好ましいが、両部材の間に他部材が介在していてもよい。同様に、部材Ｙと固定部材Ｚとの間の左右クリック機構は、部材Ｙと固定部材Ｚとが直接的に接しているのが好ましいが、両部材の間に他部材が介在していてもよい。
【０１８３】
クリック感は、人によって感知される。クリック感は、視覚では得られない様々な情報を使用者に提供しうる。好ましくは、クリック感は、聴覚及び／又は触覚によって感知される。感知性を高める観点から、聴覚と触覚とが併用されてもよい。聴覚により感知されるクリック感として、音が挙げられる。触覚によって感知されるクリック感として、レバー操作時における抵抗感の変化及び振動が例示される。クリック感の継続時間は限定されない。典型的なクリック感として、比較的短時間の抵抗変化及び音が挙げられるが、比較的長時間のクリック感も可能である。
【０１８４】
クリック感により得られうる情報は、多様である。この情報として、以下が例示される。
［情報１］：吐水温度に関する情報
［情報２］：吐出量に関する情報
［情報３］：湯の混合の有無に関する情報
［情報４］：レバー前後位置に関する情報
［情報５］：レバー左右位置に関する情報
【０１８５】
上記情報１に係るクリック感として、以下が例示される。
［１ａ］：吐水温度が高温になることを知らせる左右クリック感
［１ｂ］：水のみの吐出（湯が非混合）であることを知らせる左右クリック感
［１ｃ］：吐水温度の変化を段階的に知らせる複数の左右クリック感
［１ｄ］：吐水温度が高温であることを知らせる前後クリック感
［１ｅ］：水のみの吐出（湯が非混合）であることを知らせる前後クリック感
［１ｆ］：湯の吐出（湯水混合を含む）を知らせる前後クリック感
【０１８６】
左右クリック感１ａは、例えば、意図しない高温の吐水を抑制するのに寄与しうる。上記左右クリック感１ｂは、例えば、省エネルギーに寄与しうる。上記左右クリック感１ｃは、例えば、好みの温度への設定を容易としうる。前後クリック感１ｄは、例えば、過度に温度が高い吐水を避けるのに寄与しうる。前後クリック感１ｅ及び１ｆは、例えば、省エネルギーに寄与しうる。上記実施形態では、前後クリック感１ｆが達成されている。
【０１８７】
上記情報２に係るクリック感として、以下が例示される。
［２ａ］：給湯器が作動する吐出量に達することを知らせる前後クリック感
［２ｂ］：吐出量の変化を段階的に知らせる複数の前後クリック感
【０１８８】
前後クリック感２ａは、例えば、省エネルギーに寄与しうる。前後クリック感２ｂは、例えば、意図しない吐出量を避けるのに寄与しうる。
【０１８９】
上記情報３に係るクリック感として、以下が例示される。
［３ａ］：上記境界Ｋ１で発現する左右クリック感
［３ｂ］：上記境界Ｋ１の近傍で発現する左右クリック感
【０１９０】
左右クリック感３ａは、例えば、省エネルギーに寄与しうる。左右クリック感３ｂは、例えば、省エネルギーに寄与しうる。上記実施形態では、左右クリック感３ｂが達成されている。
【０１９１】
上記３ｂにおける境界Ｋ１の近傍として、境界Ｋ１の±１０度以内、境界Ｋ１の±７度以内、境界Ｋ１の±５度以内、境界Ｋ１の±３度以内等が例示される。
【０１９２】
上記情報４に係る情報として、以下が例示される。
［４ａ］：レバー前後位置が最大吐出位置に近づいていることを知らせる前後クリック感
［４ｂ］：レバー前後位置が最大吐出位置であることを知らせる前後クリック感
【０１９３】
上記前後クリック感４ａ及び４ｂは、例えば、レバーが限界位置に達するときの衝撃を緩和するのに寄与しうる。この衝撃の緩和は、繰り返しの使用に伴う劣化を抑制しうる。
【０１９４】
上記情報５に係る情報として、以下が例示される。
［５ａ］：レバー左右位置が右限界ＭＲに近づいていることを知らせる左右クリック感
［５ｂ］：レバー左右位置が左限界ＭＬに近づいていることを知らせる左右クリック感
［５ｃ］：レバー左右位置が右限界ＭＲであることを知らせる左右クリック感
［５ｄ］：レバー左右位置が左限界ＭＬであることを知らせる左右クリック感
【０１９５】
上記前後クリック感５ａ、５ｂ、５ｃ及び５ｄは、例えば、レバーが限界位置に達するときの衝撃を緩和するのに寄与しうる。この衝撃の緩和は、繰り返しの使用に伴う劣化を抑制しうる。
【０１９６】
好ましくは、レバー前後位置及び／又はレバー左右位置によってクリック感が相違する。この相違により、より多くの情報を使用者に伝達することができる。この相違により、例えば、上記情報から選ばれる１又は２以上が、効果的に使用者に伝達される。よって、利便性の高い湯水混合栓が実現しうる。
【０１９７】
このクリック感の相違として、以下の（Ａ）、（Ｂ）、（Ｃ）及び（Ｄ）が例示される。
（Ａ）レバー左右位置によって、前後クリック感が相違する。
（Ｂ）レバー前後位置によって、前後クリック感が相違する。
（Ｃ）レバー左右位置によって、左右クリック感が相違する。
（Ｄ）レバー前後位置によって、左右クリック感が相違する。
【０１９８】
より好ましい態様は、（Ａ）、（Ｂ）及び（Ｃ）から選択される少なくとも１つか、又は、２つ以上の組み合わせである。
【０１９９】
上記態様（Ａ）は、様々な効果を奏しうる。この態様（Ａ）は、吐水温度（湯の混合割合）に関する情報を使用者に与えうる。例えば、湯の混合割合が多くなるほど前後クリック感を顕著とすれば、エネルギーの節約に役立つ。レバー左右位置を変えずにレバーを前後回動させる動作は実使用において頻度が高い。態様（Ａ）は、この高頻度の動作において省エネルギー効果を奏するので、特に好ましい。また、吐水温度の調節が容易とされうる。
【０２００】
上記態様（Ｂ）は、様々な効果を奏しうる。この態様（Ｂ）は、吐出量に関する情報を使用者に与えうる。例えば、吐出量が多くなるほど前後クリック感を顕著とすれば、水資源及び／又はエネルギーの節約に役立つ。また、吐水量の調節が容易とされうる。
【０２０１】
上記態様（Ｃ）は、様々な効果を奏しうる。この態様（Ｃ）は、吐水温度（湯の混合割合）に関する情報を使用者に与えうる。例えば、湯の混合割合が多くなるほど左右クリック感を顕著とすれば、エネルギーの節約に役立つ。また、吐水温度の調節が容易とされうる。
【０２０２】
上記態様（Ａ）として、以下が例示される。
（Ａ１）水吐出位置（水１００％）と、湯混合吐出位置（湯１００％を含む）との間で、前後クリック感が相違する。  
（Ａ２）水吐出位置（水１００％）と、水の割合が高い湯混合吐出位置と、水の割合が低い湯混合吐出位置（湯１００％を含む）との間で、前後クリック感が相違する。  
（Ａ３）水吐出位置（水１００％）と、湯混合吐出位置（湯１００％を含まない）と、湯吐出位置（湯１００％）との間で、前後クリック感が相違する。  
（Ａ４）水吐出位置（水１００％）と、水の割合が高い湯混合吐出位置と、水の割合が低い湯混合吐出位置と、湯吐出位置（湯１００％）との間で、前後クリック感が相違する。（Ａ５）水吐出位置（水１００％）と、使用頻度が高い湯混合吐出位置と、使用頻度が高くない湯混合吐出位置（湯１００％を含む）との間で、前後クリック感が相違する。 
（Ａ６）水吐出位置（水１００％）と、使用頻度が高い湯混合吐出位置と、使用頻度が高くない湯混合吐出位置（湯１００％を含まない）と、湯吐出位置（湯１００％）との間で、前後クリック感が相違する。 
【０２０３】
汎用性の観点から、（Ａ１）、（Ａ２）及び（Ａ３）が好ましい。湯の節約の観点からは、湯が使用されているか否かが分かりやすくシンプルな（Ａ１）が好ましい。また、操作性を重視する場合、（Ａ２）、（Ａ３）、（Ａ４）、（Ａ５）及び（Ａ６）が好ましい。これら（Ａ２）から（Ａ６）では、クリック感の相違により得られる情報量が多く、吐水の状況が分かりやすい。
【０２０４】
上記態様（Ｃ）として、以下が例示される。
（Ｃ１）水吐出位置（水１００％）と、湯混合吐出位置（湯１００％を含む）との間で、左右クリック感が相違する。  
（Ｃ２）水吐出位置（水１００％）と、水の割合が高い湯混合吐出位置と、水の割合が低い湯混合吐出位置（湯１００％を含む）との間で、左右クリック感が相違する。  
（Ｃ３）水吐出位置（水１００％）と、湯混合吐出位置（湯１００％を含まない）と、湯吐出位置（湯１００％）との間で、左右クリック感が相違する。
（Ｃ４）水吐出位置（水１００％）と、水の割合が高い湯混合吐出位置と、水の割合が低い湯混合吐出位置と、湯吐出位置（湯１００％）との間で、左右クリック感が相違する。（Ｃ５）水吐出位置（水１００％）と、使用頻度が高い湯混合吐出位置と、使用頻度が高くない湯混合吐出位置（湯１００％を含む）との間で、左右クリック感が相違する。 
（Ｃ６）水吐出位置（水１００％）と、使用頻度が高い湯混合吐出位置と、使用頻度が高くない湯混合吐出位置（湯１００％を含まない）と、湯吐出位置（湯１００％）との間で、左右クリック感が相違する。 
【０２０５】
汎用性の観点から、（Ｃ１）、（Ｃ２）及び（Ｃ３）が好ましい。湯の節約の観点からは、湯が使用されているか否かが分かりやすくシンプルな（Ｃ１）が好ましい。また、操作性を重視する場合、（Ｃ２）、（Ｃ３）、（Ｃ４）、（Ｃ５）及び（Ｃ６）が好ましい。これら（Ｃ２）から（Ｃ６）では、クリック感の相違により得られる情報量が多く、吐水の状況が分かりやすい。
【０２０６】
上記（Ｃ１）に、次の（Ｃ１１）が組み合わされても良い。
（Ｃ１１）水吐出範囲と湯混合吐出位置との境界で、左右クリック感が発現する。
【０２０７】
上記（Ｃ２）に、次の（Ｃ２１）が組み合わされても良い。
（Ｃ２１）水吐出範囲と水の割合が高い湯混合吐出範囲との境界で左右クリック感ｋｃ１が発現し、水の割合が高い湯混合吐出範囲と水の割合が低い湯混合吐出範囲との境界で左右クリック感ｋｃ２が発現する。
【０２０８】
この（Ｃ２１）において、左右クリック感ｋｃ１と左右クリック感ｋｃ２とが相違していてもよい。
【０２０９】
上記（Ｃ３）に、次の（Ｃ３１）が組み合わされても良い。
（Ｃ３１）水吐出範囲と湯混合吐出範囲との境界で左右クリック感ｋｃ３が発現し、湯混合吐出範囲と湯吐出範囲との境界で左右クリック感ｋｃ４が発現する。
【０２１０】
この（Ｃ３１）において、左右クリック感ｋｃ３と左右クリック感ｋｃ４とが相違していてもよい。
【０２１１】
上記（Ｃ４）に、次の（Ｃ４１）が組み合わされても良い。
（Ｃ４１）水吐出範囲と水の割合が高い湯混合吐出範囲の境界で左右クリック感ｋｃ５が発現し、水の割合が高い湯混合吐出範囲と水の割合が低い湯混合吐出範囲との間で左右クリック感ｋｃ６が発現し、水の割合が低い湯混合吐出範囲と湯吐出範囲との間で左右クリック感ｋｃ７が発現する。
【０２１２】
この（Ｃ４１）において、左右クリック感ｋｃ５、左右クリック感ｋｃ６及び左右クリック感ｋｃ７から選ばれる少なくとも２つ又は３つ全てが相違していてもよい。
【０２１３】
上記（Ｃ５）に、次の（Ｃ５１）が組み合わされても良い。
（Ｃ５１）水吐出範囲と使用頻度が高い湯混合吐出範囲との境界で左右クリック感ｋｃ８が発現し、使用頻度が高い湯混合吐出範囲と使用頻度が高くない湯混合吐出範囲との境界で左右クリック感ｋｃ９が発現する。 
【０２１４】
この（Ｃ５１）において、左右クリック感ｋｃ８と左右クリック感ｋｃ９とが相違していてもよい。
【０２１５】
上記（Ｃ６）に、次の（Ｃ６１）が組み合わされても良い。
（Ｃ６１）水吐出範囲と使用頻度が高い湯混合吐出範囲との境界で左右クリック感ｋｃ１０が発現し、使用頻度が高い湯混合吐出範囲と使用頻度が高くない湯混合吐出範囲との境界で左右クリック感ｋｃ１１が発現し、使用頻度が高くない湯混合吐出範囲と湯吐出範囲との間で左右クリック感ｋｃ１２が発現する。
【０２１６】
この（Ｃ６１）において、左右クリック感ｋｃ１０、左右クリック感ｋｃ１１及び左右クリック感ｋｃ１２から選ばれる少なくとも２つ又は３つ全てが相違していてもよい。
【０２１７】
上記態様（Ａ）では、レバー左右位置を複数の範囲に区分し、これらの範囲ごとに前後クリック感を相違させるのが好ましい。また、上記（Ｃ）では、レバー左右位置を複数の範囲に区分し、これらの範囲ごとに左右クリック感を相違させるのが好ましい。また、上記（Ｃ１１）、（Ｃ２１）、（Ｃ３１）、（Ｃ４１）、（Ｃ５１）及び（Ｃ６１）に示されるように、区分された複数の範囲の境界で、左右クリック感を発現させてもよい。この境界における左右クリック感は、本願記載のあらゆる態様と組み合わせることが可能である。
【０２１８】
上記態様（Ａ）及び（Ｂ）における、前後クリック感の相違として、以下が例示される。
（Ｘ１）前後クリック感の有無
（Ｘ２）前後クリック感の感覚の相違
（Ｘ３）前後クリック感の回数の相違
（Ｘ４）前後クリック感の間隔の相違
（Ｘ５）上記（Ｘ１）から（Ｘ４）から選ばれる２以上の組み合わせ
【０２１９】
湯の節約を重視する観点からは、感覚の差が顕著な相違（Ｘ１）が好ましい。また、レバー左右位置における複数の範囲を認識させたい場合、上記（Ｘ５）により、前後クリック感の相違により得られる情報を増やすのが好ましく、例えば相違（Ｘ１）と相違（Ｘ３）との組み合わせが好ましい。
【０２２０】
前後クリック感の感覚としては、触覚による感覚（抵抗感等）及び聴覚による感覚（音）が例示される。上記相違（Ｘ２）として、抵抗感の相違及び音の相違が例示される。音の相違として、音の周波数の相違が例示される。
【０２２１】
上記相違（Ｘ２）は、例えば、凹部の深さ及び／又は凸部の高さを相違させることによって実現しうる。上記相違（Ｘ３）は、例えば、凹部及び／又は凸部の数を相違させることによって実現しうる。上記相違（Ｘ４）は、例えば、凹部及び／又は凸部の間隔を相違させることによって実現しうる。上記相違（Ｘ３）における回数とは、例えば、前後回動の全範囲における前後クリック感の発生回数（前述の回数Ｎ）である。
【０２２２】
図１１の実施形態では、凸部５６ｃの数Ｎａが５である。ただし、係合当接部Ｅ１を乗り越えうる凸部５６ｋの数Ｎｋは３である。このため、上記発生回数Ｎは３である。前後クリック感の認知性の観点から、発生回数Ｎは、２以上が好ましく、３以上がより好ましい。発生回数Ｎが多すぎると、クリック間隔が小さすぎて、クリック感の認知性が低下することがある。この観点から、発生回数Ｎは、１０以下が好ましく、８以下がより好ましく、７以下が更に好ましい。発生回数Ｎを好ましい値とする観点から、凸部５６ｃの数Ｎａは、２以上が好ましく、３以上がより好ましい。同様に、凸部５６ｃの数Ｎａは、１０以下が好ましく、８以下がより好ましく、７以下が更に好ましい。
【０２２３】
上述の通り、係合当接部Ｅ１の突起数Ｎｂは、複数であってもよい。また、周方向位置によって突起数Ｎｂが変更されてもよい。最適な位置のみに突起数Ｎｂを配置する観点からは、突起数Ｎｂは１であるのが好ましい。
【０２２４】
図１１の実施形態では、複数の凸部５６ｃが設けられている。レバー軸線Ｚ１から凸部５６ｃの先端までの距離Ｄｃは、全ての凸部５６ｃにおいて等しい。よって、凸部５６ｃのそれぞれから生じる前後クリック感が一定とされている。よって、違和感の少ないクリック感の設定が可能である。また、凸部５６ｃのそれぞれに生ずる弾性変形が一定であるため、使用に伴う凸部５６ｃの劣化を均一化することができる。換言すれば、凸部５６ｃへの負荷が、複数の凸部５６ｃに均等に分散されうる。よって、クリック係合部５６の耐久性が向上しうる。
【０２２５】
一方、凸部５６ｃごとに距離Ｄｃを相違させれば、凸部５６ｃのそれぞれから生じる前後クリック感を相違させることができる。この場合、前述のクリック仕様Ｂが達成されうる。
【０２２６】
図１１の実施形態では、係合当接部Ｅ１が凸部ｔ１である。図１１において一点鎖線で示されるのは、レバー軸線Ｚ１を含み且つハウジング４２の中心軸に対して垂直な平面Ｐｈ１である。通常の使用状態では、平面Ｐｈ１は水平である。係合当接部Ｅ１は、この平面Ｐｈ１と交わる位置に配置されている。この配置により、係合当接部Ｅ１とレバー軸線Ｚ１との距離を近づけることができる。よって、係合当接部Ｅ１が小型化が可能となる。また、他の部位に干渉されることなく、係合当接部Ｅ１とクリック係合部５６とを確実に係合させることが可能となる。
【０２２７】
上記実施形態では、クリック係合部５６がレバー４６に設けられている。このため、前後クリック機構を設けるためのスペースが抑制されている。また、シンプルな構造により、生産性及び信頼性に優れた前後クリック機構が実現されている。
【０２２８】
図６において一点鎖線で示されているのは、レバー軸線Ｚ１を含み且つクリック係合部５６の重心を通る平面Ｐｈ２である。クリック係合部５６は、この平面Ｐｈ２に対して対称である。複数の凸部５６ｃは、この平面Ｐｈ２に対して対称に配置されている。これらの対称性により、複数で且つ均等なクリック感が得られうる。これらの対称性は、コンパクトなクリック機構の実現に寄与している。
【０２２９】
上記実施形態では、クリック係合部５６がレバー４６の後面に設けられている。クリック係合部５６がレバー４６の側面５３（図８参照）に設けられた場合、側面５３とレバー挿入孔１０６との間にクリック係合部５６が介在することになる。この場合、レバー挿入孔１０６が、レバー４６を回動可能に且つ確実に保持することが難しくなる。よってレバー４６のがたつき等により、レバー前後回動の精度が低下しやすい。この精度の低下により、前後クリック機構の係合にバラツキが生じうる。レバー前後回動の精度を高める観点からも、クリック係合部は、上記レバーの前面及び／又は後面に配置されているのが好ましい。この配置により、コンパクトで且つシンプルな構造の前後クリック機構が実現されうる。
【０２３０】
上記実施形態では、クリック係合部５６に中空部が設けられている。この中空部により剛性を調整できるため、弾性変形の度合いを中空部によって調整することができる。よって材料選択の自由度が拡大される。中空部は、クリック係合部５６の軽量化にも寄与しうる。
【０２３１】
レバー４６は、ハンドル１４に連結されている。レバー４６からの振動は、使用者に伝達されやすい。レバー４６にクリック係合部５６が取り付けられているため、前後クリック感が使用者に伝わりやすい。
【０２３２】
クリック係合において、凸部５６ｃには曲げ変形が生じる（図１１参照）。この曲げ変形の方向は、レバー４６の前後回動の方向に沿っている。凸部５６ｃの曲げ変形に起因する振動は、レバー４６の前後回動の方向に生じやすい。レバー４６は前後回動が可能な状態にあるから、前後回動に沿った振動を伝達しやすい。このため、凸部５６ｃの曲げ変形に起因する振動は、使用者に伝わりやすい。
【０２３３】
上述の通り、凸部５６ｃの曲げ変形の方向は、レバー４６の前後回動の方向に沿っている。クリック係合部５６の曲げ変形に起因する振動は、レバー軸線Ｚ１に対して垂直な方向には生じにくい。よって、この振動によるレバー軸４８への負荷は小さい。使用によるレバー軸４８の劣化が抑制されるため、レバー４６の前後回動の精度が長期間維持されうる。よって、前後クリック機構が安定的に維持されうる。
【０２３４】
上記実施形態では、前後クリック機構がシンプルな構造であり、介在物が少ない。よって、部材の寸法誤差及び組み付けの誤差によるクリック感のバラツキを抑制することができる。また上述の通り、上記実施形態では、クリック感の設定自由度が高い。
【０２３５】
上記実施形態では、クリック係合部５６が着脱可能である。よって、クリック係合部５６を取り外すことにより、前後クリック感を無くすこともできる。例えば、クリック係合部５６の有無だけで、前後クリック感を有する製品と、前後クリック感を有さない製品とを製造することができる。これは、部品の共通化に寄与しうる。
【０２３６】
クリック係合部５６は、レバー軸線Ｚ１を中心として回動する。従って、クリック係合部５６の係合部分（凸部５６ｃ）とレバー軸線Ｚ１との距離は変化しない。またレバー４６は、ハウジング４２に対して回動するが、ハウジング４２に対して移動しない。ハウジング４２の内面とレバー軸線Ｚ１との距離は実質上変化しない。よって、レバー４６の左右回動及び前後回動に係わらず、係合度合いが一定とすることができる。よって、一定の前後クリック感が得られうる。
【０２３７】
図２８は、第２実施形態に係るレバー組立体４００の断面図である。このレバー組立体４００では、レバー４６０の後面４７０及び前面４７２に、クリック係合部５６が設けられている。ハウジング４２０は、後面４７０に設けられたクリック係合部５６と係合しうる第１の係合当接部Ｅ１１と、前面４７２に設けられたクリック係合部５６と係合しうる第２の係合当接部Ｅ１２とを有している。係合当接部Ｅ１１と係合当接部Ｅ１２とは、周方向位置が相違する。このレバー組立体４００では、第１の係合当接部Ｅ１１と第２の係合当接部Ｅ１２とでクリック感が生じうる。よってクリック感の多様化が可能となる。係合当接部Ｅ１１に起因するクリック感のタイミングを、係合当接部Ｅ１２の基づくクリック感のタイミングと相違させてもよい。係合当接部Ｅ１１に起因するクリック感のタイミングを、係合当接部Ｅ１２の基づくクリック感のタイミングと一致させてもよい。本実施形態では、クリック感の発生を複数の係合当接部Ｅ１で分担させることができ、係合当接部Ｅ１の負担を軽減することができる。
【０２３８】
図２９は、第３実施形態に係るレバー組立体４０２の断面図である。このレバー組立体４０２では、レバー４６２の後面に、クリック係合部５６２が設けられている。このクリック係合部５６２は、レバー４６２と一体成形されている。クリック係合部５６２は、凸部形成部ｔｋ３と、空洞部ｖ３と、接続部ｓ３とを有する。凸部形成部ｔｋ３には、複数（５つ）の凸部ｔ３が設けられている。接続部ｓ３は、凸部形成部ｔｋ３とレバー４６２とを繋いでいる。クリック係合においては、弾性変形が、凸部ｔ３及び凸部形成部ｔｋ３に生ずる。すなわち、凸部ｔ３及び凸部形成部ｔｋ３が弾性変形部である。凸部形成部ｔｋ３の弾性変形により、凸部ｔ３の弾性変形量が抑制される。よって、クリック係合部５６２の耐久性が高められている。
【０２３９】
図３０は、第４実施形態に係るレバー組立体４０４の断面図である。このレバー組立体４０４では、レバー４６４の後面に、クリック係合部５６４が設けられている。このクリック係合部５６４は、レバー４６４とは別体であり、前述のクリック係合部５６と同様に、レバー４６４に取り付けられている。クリック係合部５６４は、ベース部５６４ａと凸部５６４ｃとを有する。凸部５６４ｃは複数である。中央寄りの３つの凸部５６４ｃは、係合当接部Ｅ１を乗り越えうる凸部５６４ｋである。凸部５６４ｋは複数である。クリック係合において、凸部５６４ｋに弾性変形が生じる。この弾性変形は曲げ変形である。クリック係合部５６と異なり、クリック係合部５６４は中実である。前述の凸部５６ｃには中空部を有するものが含まれていたが、凸部５６４ｃは中実である。中実の凸部５６４ｃは耐久性に優れる。
【０２４０】
図３１は、第５実施形態に係るレバー組立体４０６の断面図である。このレバー組立体４０６では、レバー４６６の後面に、クリック係合部５６６が設けられている。このクリック係合部５６６は、板バネ５６６ａと出退部材５６６ｂとを有する。出退部材５６６ｂの先端に、凹凸部５６６ｃが設けられている。凹凸部５６６ｃが、係合当接部Ｅ１と係合する。この係合により、板バネ５６６ａが変形し、出退部材５６６ｂが退行方向又は突出方向に移動する。レバー４６６の前後回動に伴い、係合当接部Ｅ１は、凹凸部５６６ｃの凸部と凹部とに交互に係合する。これらの係合によりクリック感が生じる。
【０２４１】
図３２は、第６実施形態に係るレバー組立体４０８の断面図である。このレバー組立体４０８では、レバー４６８の後面に、クリック係合部５６８が設けられている。このクリック係合部５６８は、コイルバネ５６８ａと出退部材５６８ｂとを有する。出退部材５６８ｂの先端に、凸部５６８ｃが設けられている。出退部材５６８ｂには、収容凹部５６８ｄが設けられている。凸部５６８ｃが、係合当接部Ｅ１と係合する。レバー４６８にはスライド穴４６８ａが設けられている。コイルバネ５６８ａの一端部は、収容凹部５６８ｄに収容されている。出退部材５６８ｂは、このスライド穴４６８ａの内部をスライド移動する。コイルバネ５６８ａは、出退部材５６８ｂを、突出方向に付勢している。係合当接部Ｅ１と凸部５６８ｃとの係合により、コイルバネ５６８ａが圧縮変形する。係合当接部Ｅ１との係合及び係合解除により、クリック感が生じる。
【０２４２】
本実施形態では、係合当接部Ｅ１として、第１の係合当接部Ｅ２１と、第２の係合当接部Ｅ２２とが設けられている。第１の係合当接部Ｅ２１の周方向位置は、第２の係合当接部Ｅ２２の周方向位置と同じである。前述の突起数Ｎｂは２である。よって、凸部５６８の数Ｎａは１であるが、上記発生回数Ｎは２である。
【０２４３】
これらの実施形態に例示されるように、多様な前後クリック機構が可能である。
【０２４４】
第１実施形態に係るクリック係合部５６（図１１）では、凸部５６ｃが弾性変形部である。第２実施形態に係るクリック係合部５６（図２８）でも、凸部５６ｃが弾性変形部である。第３実施形態に係るクリック係合部５６２（図２９）では、凸部ｔ３及び凸部形成部ｔｋ３が弾性変形部である。第４実施形態に係るクリック係合部５６４（図３０）では、凸部５６４ｃが弾性変形部である。第５実施形態に係るクリック係合部５６６（図３１）では、板バネ５６６ａが弾性変形部である。第６実施形態に係るクリック係合部５６８（図３２）では、コイルバネ５６８ａが弾性変形部である。クリック係合において、これらの弾性変形部に、弾性変形及び変形回復が生じる。この弾性変形及び／又は変形回復に伴い、クリック感が生じる。これら実施形態の各弾性変形部は、弾性体であればよく、上記具体例の構造に限定されない。
【０２４５】
第５及び第６実施形態では、クリック係合部が出退機構を有している。クリック係合において、この出退機構に突出及び退行が生じる。この突出及び退行により、係合及び係合解除を伴うクリック係合が可能とされている。これに対して、第１、第２、第３及び第４実施形態では、弾性変形が曲げ変形であり、この曲げ変形により、係合及び係合解除を伴うクリック係合が可能とされている。クリック感が奏される限り、係合の態様は限定されない。またクリック係合は、凸部同士の係合に限定されず、例えば、凸部と凹部との係合でもよい。
【０２４６】
図３３（ａ）及び図３３（ｂ）は、係合当接部Ｅ１の変形例である。
【０２４７】
図３３（ａ）の実施形態では、ハウジング４２１に凹部４２１ａが設けられている。この凹部４２１ａに球体ｂ１が配置されている。球体ｂ１の一部は、ハウジング４２１の内面４２１ｂよりも突出している。凹部４２１ａの形状は、球体ｂ１に対応している。この球体ｂ１は、凹部４２１ａに、回転可能な状態で保持されている。この実施形態では、球体ｂ１の回転が可能であるため、クリック係合におけるクリック係合部の摩擦が軽減されうる。よって、使用に伴うクリック機構の劣化が抑制される。
【０２４８】
図３３（ｂ）の実施形態では、ハウジング４２３に凹部４２３ａが設けられている。この凹部４２３ａに弾性体ｓｐ１が収容されている。弾性体ｓｐ１はコイルバネである。このコイルバネｓｐ１の一端に、球体ｂ２が配置されている。球体ｂ２とコイルバネｓｐ１とにより、出退機構が構成されている。球体ｂ２は、回転可能な状態で、コイルバネｓｐ１及び凹部４２３ａに保持されている。本実施形態では、係合当接部Ｅ１が出退機構を有している。
【０２４９】
このように、係合当接部Ｅ１が弾性変形部を有していてもよい。この弾性変形部により、クリック係合部の弾性変形量を軽減することができ、使用に伴うクリック機構の劣化が抑制される。また、クリック係合部における弾性変形が不要とされうる。よって、クリック係合部の設計自由度が向上しうる。
【０２５０】
明確な左右クリック感を得る観点から、凸部１７０（図１６等参照）の高さＨａは、０．０５ｍｍ以上が好ましく、０．１ｍｍ以上がより好ましく、０．１５ｍｍ以上が更に好ましい。高さＨａが過大である場合、ハウジング４２又は回動体４４の厚みが薄くなりすぎて耐久性が低下しうる。この観点から、高さＨａは、１．０ｍｍ以下が好ましく、０．５ｍｍ以下がより好ましく、０．４ｍｍ以下が更に好ましい。上記実施形態において、凸部１７０の高さＨａは０．４ｍｍとされた。
【０２５１】
明確な前後クリック感を得る観点から、係合当接部Ｅ１の高さＨｂ（図１１参照）は、０．０５ｍｍ以上が好ましく、０．１ｍｍ以上がより好ましく、０．１５ｍｍ以上が更に好ましい。高さＨｂが過大である場合、ハウジング４２又は回動体４４の厚みが薄くなりすぎて耐久性が低下しうる。この観点から、高さＨｂは、１．０ｍｍ以下が好ましく、０．５ｍｍ以下がより好ましく、０．４ｍｍ以下が更に好ましい。上記実施形態において、係合当接部Ｅ１の高さＨｂは０．４ｍｍとされた。
【０２５２】
組立容易性の観点、及び、明確な左右クリック感を得る観点から、球体５２の直径Ｐａは、１．０ｍｍ以上が好ましく、１．５ｍｍ以上がより好ましく、２．０ｍｍ以上が更に好ましい。直径Ｐａが過大である場合、レバー軸４８の直径が過大となったり、レバー組立体４０が過度に大型化することがある。また、この大型化を避けるために、ハウジング４２等が過度に薄くされうる。これらの観点から、直径Ｐａは５．０ｍｍ以下が好ましく、４．０ｍｍ以下が更に好ましい。上記実施形態において、球体５２の直径Ｐａは３．０ｍｍとされた。
【０２５３】
クリック係合部の材質として、樹脂及び金属が例示される。この樹脂には、繊維強化樹脂も含まれる。弾性の観点からは樹脂が好ましい。樹脂は、クリック係合部を中空としたときの弾性の観点からも好ましい。クリック時の感触及び耐久性の観点から、ポリアセタール樹脂（ＰＯＭ）がより好ましい。上記実施形態では、ＰＯＭが用いられた。
【０２５４】
ハウジングの材質として、樹脂及び金属が例示される。この樹脂には、繊維強化樹脂も含まれる。耐久性、耐錆性、及び衛生面の観点から、繊維強化樹脂が好ましく、ガラス繊維強化樹脂がより好ましい。また、ハウジングのうち、係合当接部Ｅ１を別部材とすることもできる。クリック機構により発生する音（クリック音）は、心地よく且つ聞き取りやすいのが好ましい。係合当接部Ｅ１の材質は、このクリック音に影響する。良好なクリック音を得る観点及び耐久性の観点から、係合当接部Ｅ１の材質は、ステンレス鋼が好ましく、バネ用ステンレス鋼がより好ましい。上記実施形態では、ハウジングは係合当接部Ｅ１を含んで一体成形された一体部材とされ、この一体部材の材質はガラス繊維強化樹脂とされた。
【０２５５】
回動体の材質として、樹脂及び金属が例示される。この樹脂には、繊維強化樹脂も含まれる。レバー操作時に金属同士が摺動すると、不快な音が発生する場合がある。また摺動面の材質は摩擦力を変動させるため、レバーの操作性に影響する。操作性及び不快音回避の観点から、回動体の材質としては、樹脂が好ましく、強化繊維を含まない樹脂がより好ましい。上記実施形態では、強化繊維を含まないＰＯＭが用いられた。
【０２５６】
上記軸保持体の材質として、樹脂及び金属が例示される。この樹脂には、繊維強化樹脂も含まれる。レバー操作時に金属同士が摺動すると、不快な音が発生する場合がある。また摺動面の材質は摩擦力を変動させるため、レバーの操作性に影響する。操作性及び不快音回避の観点から、軸保持体の材質としては、樹脂が好ましく、強化繊維を含まない樹脂がより好ましい。上記実施形態では、強化繊維を含まないＰＯＭ樹脂が用いられた。
【０２５７】
上記球体の材質として、樹脂及び金属が例示される。クリック機構の音及び耐久性の観点から、金属が特に好ましい。上記実施形態ではステンレス合金が用いられた。
【０２５８】
左右クリック機構に用いられる上記弾性体として、ゴム及びコイルバネが例示される。繰り返しの使用による劣化を抑制する観点、及び、クリック感の調整の自由度の観点から、コイルバネが好ましい。このコイルバネの材質としては、バネ鋼材が好ましい。上記実施形態では、バネ鋼材のコイルバネが用いられた。
【０２５９】
上記レバー軸の材質として、樹脂及び金属が例示される。この樹脂には、繊維強化樹脂も含まれる。水による腐食を抑制する観点から、ステンレス合金及び樹脂が好ましい。上記実施形態では、ステンレス合金が用いられた。
【０２６０】
可動弁体の上側部材の材質として、樹脂及び金属が例示される。この樹脂には、繊維強化樹脂も含まれる。レバー操作時に金属同士が摺動すると、不快な音が発生する場合がある。不快音回避の観点から、上側部材の材質としては、樹脂が好ましい。また、この上側部材を樹脂とすることで、可動弁体全体としての製造コストが抑制される。上記実施形態では、強化繊維を含まないＰＯＭ樹脂が用いられた。
【０２６１】
可動弁体の下側部材の材質として、樹脂（繊維強化樹脂を含む）、金属及びセラミックが例示される。固定弁体との摺動における耐摩耗性の観点から、セラミックが好ましい。このセラミックは、水に対する腐食性、強度及び耐久性の観点からも好ましい。上記実施形態では、セラミックが用いられた。
【０２６２】
固定弁体の材質として、樹脂（繊維強化樹脂を含む）、金属及びセラミックが例示される。可動弁体（下側部材）との摺動における耐摩耗性の観点から、セラミックが好ましい。このセラミックは、水に対する腐食性、強度及び耐久性の観点からも好ましい。上記実施形態では、セラミックが用いられた。
【０２６３】
パッキン及びＯリングの材質として、樹脂及びゴム材（加硫ゴム）が例示される。伸縮性により、組立性が向上し、製造誤差（寸法誤差等）が緩和されうる。これらの観点から、ゴム材が好ましい。上記実施形態では、ゴム材が用いられた。
【０２６４】
本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【０２６５】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０２６６】
本発明は、あらゆる用途の湯水混合栓に適用されうる。
【符号の説明】
【０２６７】
１０・・・湯水混合栓
１２・・・混合栓本体
１４・・・ハンドル
１６・・・吐出部
１８・・・湯導入管
２０・・・水導入管
２２・・・吐出管
４０・・・レバー組立体
４２・・・ハウジング
４４・・・回動体
４６・・・レバー
４７・・・レバーの後面
４８・・・レバー軸
５０・・・左右クリック用弾性部材
５２・・・左右クリック用球体
５４・・・軸保持体
５６・・・クリック係合部
６０・・・可動弁体
６２・・・固定弁体
６４、６５・・・パッキン
６８・・・ベース体
８０・・・湯用弁孔
８０Ｌ・・・湯用弁孔の上面開口線
８２・・・水用弁孔
８２Ｌ・・・水用弁孔の上面開口線
８４・・・混合水用弁孔
８４Ｌ・・・混合水用弁孔の上面開口線
８６・・・可動弁体の上側部材
８８・・・可動弁体の下側部材
９４・・・流路形成凹部
９８・・・レバー係合凹部
１００・・・レバーの軸孔
１０６・・・レバー挿入孔
１０８・・・回動体の軸孔
１７０・・・凸部
Ｅ１・・・係合当接部
Ｚ１・・・レバー軸線
ＰＬ１・・・固定弁体の上面の平滑面
ＰＬ２・・・可動弁体の下面の平滑面
Ｗ１・・・第１壁面部
Ｗ２・・・第２壁面部
Ｗ３・・・第３壁面部
Ｗ４・・・第４壁面部
ＳＬ１・・・第１壁面部の傾斜面
ＳＬ２・・・第２壁面部の傾斜面
ＳＬ３・・・第３壁面部の傾斜面
ＳＬ４・・・第４壁面部の傾斜面
ＳＴ・・・ストレート状部分
Ｘ・・・湯用弁孔の上面開口線で囲まれた領域
Ｙ・・・水用弁孔の上面開口線で囲まれた領域
Ｚ・・・流路形成凹部の下面開口線で囲まれた領域
ＸＺ・・・領域Ｘと領域Ｚとの重なり領域
ＹＺ・・・領域Ｙと領域Ｚとの重なり領域
Ｄ１・・・可動弁体の移動の直線方向
Ｄ２・・・上側から見た平面視におけるレバーの前後回動方向
【図１】
2014066327.tif 000003
【図２】
2014066327.tif 000004
【図３】
2014066327.tif 000005
【図４】
2014066327.tif 000006
【図５】
2014066327.tif 000007
【図６】
2014066327.tif 000008
【図７】
2014066327.tif 000009
【図８】
2014066327.tif 000010
【図９】
2014066327.tif 000011
【図１０】
2014066327.tif 000012
【図１１】
2014066327.tif 000013
【図１２】
2014066327.tif 000014
【図１３】
2014066327.tif 000015
【図１４】
2014066327.tif 000016
【図１５】
2014066327.tif 000017
【図１６】
2014066327.tif 000018
【図１７】
2014066327.tif 000019
【図１８】
2014066327.tif 000020
【図１９】
2014066327.tif 000021
【図２０】
2014066327.tif 000022
【図２１】
2014066327.tif 000023
【図２２】
2014066327.tif 000024
【図２３】
2014066327.tif 000025
【図２４】
2014066327.tif 000026
【図２５】
2014066327.tif 000027
【図２６】
2014066327.tif 000028
【図２７】
2014066327.tif 000029
【図２８】
2014066327.tif 000030
【図２９】
2014066327.tif 000031
【図３０】
2014066327.tif 000032
【図３１】
2014066327.tif 000033
【図３２】
2014066327.tif 000034
【図３３】
2014066327.tif 000035